(57)【要約】      （修正有）【課題】埋め込み可能デバイスの滅菌のための滅菌バッグとしてだけでなく、埋め込み可能デバイスの細胞充填を促進する機能を果たすデバイス充填パウチアセンブリ（ＤＦＰＡ）を提供する。【解決手段】デバイス充填パウチアセンブリ（ＤＦＰＡ）５０は第１のシート５２と第２のシート５４を剥離可能に接着することによって形成され、埋め込み可能デバイス２００を生細胞で充填することに用いるための入口システムのための開口部と、埋め込み可能デバイスから溶液を除去することに用いるための出口システムのための開口部、および埋め込み可能デバイスを見えるようにする１つ以上の透明窓５８を含む。【選択図】図６
2019115675.tif 000002
【特許請求の範囲】
【請求項１】
埋め込み可能デバイスを保持し留置するための装置であって、近位端と、遠位端とを含み、前記遠位端は、前記デバイスを保持するためのカバープレートおよびベースプレートを含むホルダと、前記遠位端から前記埋め込み可能デバイスを留置するための可動ディプロイヤプレートとを含む、装置。
【請求項２】
前記カバープレートおよび前記ベースプレートは、前記埋め込み可能デバイスを収容する、請求項１に記載の装置。
【請求項３】
前記ベースプレートは、シャフトと、ハンドルとをさらに含み、前記シャフトは、前記カバープレートおよび前記ディプロイヤプレートに取り外し可能に連結される、請求項１に記載の装置。
【請求項４】
前記カバープレートおよび前記ディプロイヤプレートは、前記シャフトに沿って前記カバープレートおよび前記ディプロイヤプレートを軸方向に動かすことができる制御要素を含む、請求項１に記載の装置。
【請求項５】
前記シャフトおよび前記ハンドルは、深さマーキングを含む、請求項１に記載の装置。
【請求項６】
前記埋め込み可能デバイスは、前記ディプロイヤプレートを前記ベースプレートおよび前記カバープレートに対して軸方向に遠位に動かすことによって留置され、それによって前記埋め込み可能デバイスが留置される、請求項１に記載の装置。
【請求項７】
前記制御要素は、親指動作可能なホイールまたはスイッチである、請求項１に記載の装置。
【請求項８】
第１の制御要素および第２の制御要素は、アクチュエータである、請求項１に記載の装置。
【請求項９】
前記埋め込み可能デバイスは、二次元デバイスである、請求項１に記載の装置。
【請求項１０】
前記埋め込み可能デバイスは、自己拡張デバイスである、請求項１に記載の装置。
【請求項１１】
前記埋め込み可能デバイスは、半透過性のマクロ封入デバイスである、請求項１に記載の装置。
【請求項１２】
前記埋め込み可能デバイスは、治療薬を中に含む、請求項１に記載の装置。
【請求項１３】
前記治療薬は、生細胞である、請求項１に記載の装置。
【請求項１４】
前記生細胞は、ｉｎ  ｖｉｔｒｏにおいて幹細胞とは区別される始原細胞である、請求項１に記載の装置。
【請求項１５】
幹細胞は、ヒト胚幹細胞、胎児幹細胞、臍帯血幹細胞、人工誘導多能性幹細胞、再プログラム化細胞、単為生殖胚細胞、生殖胚細胞、および、間葉、または造血幹細胞からなる群から選択される、請求項１に記載の装置。
【請求項１６】
前記始原細胞は、内胚葉系細胞である、請求項１に記載の装置。
【請求項１７】
前記始原細胞は、膵臓始原細胞である、請求項１に記載の装置。
【請求項１８】
前記始原細胞は、ＰＤＸ１−陽性膵臓内胚葉細胞である、請求項１に記載の装置。
【請求項１９】
前記始原細胞は、内分泌細胞である、請求項１に記載の装置。
【請求項２０】
前記生細胞は、未熟β細胞である、請求項１に記載の装置。
【請求項２１】
埋め込み可能デバイスを留置するためのアセンブリであって、
第１のホルダと、
ロッドまたはシャフトおよびハンドルを含む第２のホルダと、
前記第１のホルダと前記第２のホルダとの間にあるディプロイヤ機構
とを備え、
前記ディプロイヤ機構は、埋め込み可能デバイスの留置を達成するように適合され、
前記第１のホルダおよび前記ディプロイヤ機構は、前記第２のホルダのロッドに取り外し可能に連結され、前記ロッドの長手軸に沿って動くことができ、
前記第１のホルダおよび第２のホルダに対する前記ディプロイヤ機構の動きによって、前記埋め込み可能デバイスが送達または留置される、
アセンブリ。
【請求項２２】
前記第１のホルダは、前記第１のホルダを軸方向に動かすための第１の制御要素を含む、請求項２１に記載のアセンブリ。
【請求項２３】
前記ディプロイヤは、遠位端と、近位端とを含み、前記遠位端は、前記第１のホルダと前記第２のホルダとの間にあり、前記近位端は、前記ロッドに相互連結される、請求項２１に記載のアセンブリ。
【請求項２４】
前記ディプロイヤ機構は、前記ディプロイヤを軸方向に動かすための第２の制御要素をさらに含む、請求項２１に記載のアセンブリ。
【請求項２５】
前記ディプロイヤ機構の前記第２の制御要素は、前記ロッド内でねじ式に動くことができる、請求項２１に記載のアセンブリ。
【請求項２６】
前記ディプロイヤ機構の前記第２の制御要素は、前記ロッド内でラチェット式に動くことができる、請求項２１に記載のアセンブリ。
【請求項２７】
前記第１の制御要素および第２の制御要素は、親指動作可能なホイールまたはスイッチである、請求項２１に記載のアセンブリ。
【請求項２８】
前記第１の制御要素および第２の制御要素は、アクチュエータである、請求項２１に記載のアセンブリ。
【請求項２９】
前記第１のホルダの前記ロッドおよび前記ハンドルは、深さマーキングを含む、請求項２１に記載のアセンブリ。
【請求項３０】
前記埋め込み可能デバイスは、二次元デバイスである、請求項２１に記載のアセンブリ。
【請求項３１】
前記埋め込み可能デバイスは、自己拡張デバイスである、請求項２１に記載のアセンブリ。
【請求項３２】
前記埋め込み可能デバイスは、半透過性のマクロ封入デバイスである、請求項２１に記載のアセンブリ。
【請求項３３】
前記埋め込み可能デバイスは、治療薬を中に含む、請求項２１に記載のアセンブリ。
【請求項３４】
前記治療薬は、生細胞である、請求項２１に記載のアセンブリ。
【請求項３５】
前記生細胞は、ｉｎ  ｖｉｔｒｏにおいて幹細胞とは区別される始原細胞である、請求項２１に記載のアセンブリ。
【請求項３６】
前記始原細胞は、内胚葉系細胞である、請求項２１に記載のアセンブリ。
【請求項３７】
前記始原細胞は、膵臓始原細胞である、請求項２１に記載のアセンブリ。
【請求項３８】
前記始原細胞は、ＰＤＸ１−陽性膵臓内胚葉細胞である、請求項２１に記載のアセンブリ。
【請求項３９】
前記生細胞は、内分泌細胞である、請求項２１に記載のアセンブリ。
【請求項４０】
前記生細胞は、未熟β細胞である、請求項２１に記載のアセンブリ。
【請求項４１】
金属は、ステンレス鋼、金、プラチナ、チタン、ニオブ、ニッケル、ニッケルチタン、コバルト−クロム合金、モリブデンもしくはモリブデン合金、またはニチノールもしくはアルミナセラミックなどの合金からなる群から選択される、請求項２１に記載のアセンブリ。
【請求項４２】
ポリマー材料は、ポリカーボネート、アクリロニトリルブタジエンスチレン（ＡＢＳ）、高密度ポリエチレン（ＨＤＰＥ）、ポリスチレン、ポリエーテルエーテルケトン（ＰＥＥＫ）、ポリプロピレン、ウレタン、テフロン（登録商標）、ポリエチレン、ポリメチルメタクリレート、エポキシ、シリコーン、またはパリレンからなる群から選択される、請求項２１に記載のアセンブリ。
【請求項４３】
前記金属は、本質的に、ステンレス鋼、チタン、ニオブ、ニッケルチタン、または合金からなる、請求項２１に記載のアセンブリ。
【請求項４４】
前記金属は、本質的にステンレス鋼からなる、請求項２１に記載のアセンブリ。
【請求項４５】
細胞療法のために埋め込み可能デバイスを留置する方法であって、
埋め込み可能デバイス、ならびに第１のプレートおよび第２のプレートおよびディプロイヤプレートを有するホルダを備えるアセンブリを、解剖学的埋め込み部位に位置決めするステップであって、第２のホルダは、ロッドとハンドルとをさらに含み、ディプロイヤ要素は、前記ロッドに連結され前記ロッドの軸に沿って動くことができる、ステップと、
ロッドならびに第１および第２のホルダに対して前記ディプロイヤ要素を動かすステップであって、それによって前記解剖学的埋め込み部位に前記埋め込み可能デバイスが留置または送達される、ステップと
を含む、方法。
【請求項４６】
前記埋め込み可能デバイスは、二次元デバイスである、請求項４５に記載の方法。
【請求項４７】
前記埋め込み可能デバイスは、自己拡張デバイスである、請求項４５に記載の方法。
【請求項４８】
前記埋め込み可能デバイスは、半透過性のマクロ封入デバイスである、請求項４５に記載の方法。
【請求項４９】
前記埋め込み可能デバイスは、治療薬を中に含む、請求項４５に記載の方法。
【請求項５０】
前記治療薬は、生細胞である、請求項４５に記載の方法。
【請求項５１】
前記生細胞は、ｉｎ  ｖｉｔｒｏにおいて幹細胞とは区別される始原細胞である、請求項４５に記載の方法。
【請求項５２】
前記始原細胞は、内胚葉系細胞である、請求項４５に記載の方法。
【請求項５３】
前記始原細胞は、膵臓始原細胞である、請求項４５に記載の方法。
【請求項５４】
前記始原細胞は、ＰＤＸ１−陽性膵臓内胚葉細胞である、請求項４５に記載の方法。
【請求項５５】
前記生細胞は、内分泌細胞である、請求項４５に記載の方法。
【請求項５６】
前記生細胞は、未熟β細胞である、請求項４５に記載の方法。
【発明の詳細な説明】
【技術分野】
【０００１】
連邦支援に関する記載
本研究は、一部、カリフォルニア再生医療研究所（助成金番号ＤＲ１−０１４２３号）の助成金を受けて可能となった。本公報の内容の責任は、発明者らだけにあり、内容は、必ずしもＣＩＲＭまたはカリフォルニア州の任意の別の機関の公式な見解を示すものではない。
【０００２】
（１．本発明の分野）
本発明は、一般に、細胞療法に関し、ヒト疾患、特に糖尿病の治療のための細胞封入埋め込み可能デバイスを保持、移送、サイジング（ｓｉｚｉｎｇ）、マーキングおよび留置する手段および方法に関する。
【背景技術】
【０００３】
（２．関連技術の説明）
いくつかの疾患のための細胞置換療法は、細胞、組織または臓器を、その特定疾患を持つ患者に移すことによる、治療的処置であり得る。商業的な細胞療法には、宿主免疫に対する異種保護（ａｌｌｏ−ｐｒｏｔｅｃｔｉｏｎ）をもたらす再生可能な細胞源および封入源の主要な難問が残っている。そうした埋め込み可能デバイスによって、患者が長期間にわたって免疫抑制薬を使用することが最小限に抑えられるまたはなくなることが理想である。
【０００４】
先に、出願人らは、ｉｎ  ｖｉｖｏにてグルコース刺激に応答してインスリンを産生するための膵臓始原細胞（ｐｒｏｇｅｎｉｔｏｒ  ｃｅｌｌ）の送達の目的に少なくとも適した、再生可能細胞源およびマクロ封入薬物送達システムの両方について記述している。例えば、少なくとも、２００８年４月８日出願の米国特許出願第１２／０９９，７５９号、表題ＭＥＴＨＯＤＳ  ＯＦ  ＰＲＯＤＵＣＩＮＧ  ＰＡＮＣＲＥＡＴＩＣ  ＨＯＲＭＯＮＥＳ、２００９年１１月１３日出願の米国特許出願第１２／６１８，６５９号、表題ＥＮＣＡＰＳＵＬＡＴＩＯＮ  ＯＦ  ＰＡＮＣＲＥＡＴＩＣ  ＬＩＮＥＡＧＥ  ＣＥＬＬＳ  ＤＥＲＩＶＥＤ  ＦＲＯＭ  ＨＵＭＡＮ  ＰＬＵＲＩＰＯＴＥＮＴ  ＳＴＥＭ  ＣＥＬＬＳ、２０１３年１２月１２日出願の米国特許出願第１４／１０６，３３０号、表題ＩＮ  ＶＩＴＲＯ  ＤＩＦＦＥＲＥＮＴＩＡＴＩＯＮ  ＯＦ  ＰＬＵＲＩＰＯＴＥＮＴ  ＳＴＥＭ  ＣＥＬＬＳ  ＴＯ  ＰＡＮＣＲＥＡＴＩＣ  ＥＮＤＯＤＥＲＭ  ＣＥＬＬＳ（ＰＥＣ）ＡＮＤ  ＩＭＭＡＴＵＲＥ  ＢＥＴＡ  ＣＥＬＬＳ、２０１４年３月７日出願の米国特許出願第１４／２０１，６３０号、ならびに、２０１４年３月１３日出願のＰＣＴ／ＵＳ２０１４／０２６５２９、ＩＮ  ＶＩＴＲＯ  ＤＩＦＦＥＲＥＮＴＩＡＴＩＯＮ  ＯＦ  ＰＬＵＲＩＰＯＴＥＮＴ  ＳＴＥＭ  ＣＥＬＬＳ  ＴＯ  ＰＡＮＣＲＥＡＴＩＣ  ＥＮＤＯＤＥＲＭ  ＣＥＬＬＳ（ＰＥＣ）ＡＮＤ  ＥＮＤＯＣＲＩＮＥ  ＣＥＬＬＳ、２０１４年３月７日出願のＰＣＴ／ＵＳ２０１４／０２２１０９、３−ＤＩＭＥＮＳＩＯＮＡＬ  ＬＡＲＧＥ  ＣＡＰＡＣＩＴＹ  ＣＥＬＬ  ＥＮＣＡＰＳＵＬＡＴＩＯＮ  ＤＥＶＩＣＥ、ならびに、２０１１年１２月１２日出願の米国意匠出願第２９／４０８，３６６号、２０１１年１２月１２日出願の米国意匠出願第２９／４０８，３６８号、２０１２年５月３１日出願の米国意匠出願第２９／４２３，３６５号、２０１３年３月１３日出願の米国意匠出願第２９／４４７，９４４号、２０１４年３月７日出願の米国意匠出願第２９／４８４，３６３号、米国意匠出願第２９／４８４，３５９号、米国意匠出願第２９／４８４，３６０号、米国意匠出願第２９／４８４，３５７号、米国意匠出願第２９／４８４，３５６号、米国意匠出願第２９／４８４，３５５号、米国意匠出願第２９／４８４，３６２号および米国意匠出願第２９／４８４，３５号、表題３−ＤＩＭＥＮＳＩＯＮＡＬ  ＬＡＲＧＥ  ＣＡＰＡＣＩＴＹ  ＣＥＬＬ  ＥＮＣＡＰＳＵＬＡＴＩＯＮ  ＤＥＶＩＣＥを参照されたい。
【０００５】
糖尿病の治療のためのそうした封入細胞製品（「コンビネーション製品（ｃｏｍｂｉｎａｔｉｏｎ  ｐｒｏｄｕｃｔ）」は、市販されていない。市販のコンビネーション製品は、それ自体のケース内の埋め込み可能デバイスの完全性を確保し維持するシステムおよび方法、埋め込み可能デバイスおよびケースを滅菌し、埋め込み可能デバイスに無菌的に生細胞を充填し、コンビネーション製品を臨床現場に貯蔵しかつ輸送し、サイジングすることによって解剖学的埋め込み部位を準備し、その解剖学的埋め込み部位にマークをつけ、そして、その解剖学的埋め込み部位にコンビネーション製品を保持し、移送し、留置するためのアセンブリを提供しなければならない。
【発明の概要】
【０００６】
本明細書では、細胞療法のための埋め込み可能デバイスを留置する方法であって、埋め込み可能デバイス、ならびに第１および第２のプレートおよびディプロイヤプレートを有するホルダを含むアセンブリを解剖学的埋め込み部位に位置決めするステップであって、第２のホルダは、ロッドとハンドルとをさらに含み、ディプロイヤ要素は、ロッドに連結されロッドの軸に沿って動くことができる、ステップと、ロッドならびに第１および第２のホルダに対してディプロイヤ要素を動かすステップであって、それによって解剖学的埋め込み部位に埋め込み可能デバイスが留置されるまたは送達される、ステップとを含む、方法が開示される。さらに、埋め込み可能デバイスを留置するためのアセンブリであって、第１のホルダと、ロッドまたはシャフトおよびハンドルを含む第２のホルダと、前記第１のホルダと第２のホルダとの間にあるディプロイヤ機構とを含み、ディプロイヤ機構は、埋め込み可能デバイスの留置を達成するように適合され、第１のホルダおよびディプロイヤ機構は、第２のホルダロッドに取り外し可能に連結されロッドの長手軸に沿って動くことができ、第１および第２のホルダに対するディプロイヤ機構の動きによって、埋め込み可能デバイスが送達または留置される、アセンブリが開示される。さらに、埋め込み可能な二次元形状のデバイスを保持するためのケースであって、取り外し可能に連結されるカバー本体とベース本体とを含み、カバー本体は、第１のラッチ部分を有し、ベース本体は、ケースが閉位置にあるとき、カバー本体をベース本体に固定するように構成される第２のラッチ部分を有し、カバー本体およびベース本体は、固定されると、１つまたは複数の生物活性物質の通過を可能にする少なくとも１つの開口部を有する体積を含む、ケースが開示される。さらなる実施形態が開示される。
【０００７】
本発明の上記およびその他の特徴および利点は、以下にある本発明の好ましい実施形態のより具体的な説明、添付の図面、および特許請求の範囲から明らかになるであろう。
【０００８】
次に、本発明の実施形態およびその利点のより完全な理解のために、以下の通り簡単に説明される添付の図面とあわせて、次の説明を参照されよう。
【図面の簡単な説明】
【０００９】
【図１】図１は、本発明の一実施形態による構成要素部品および埋め込み可能デバイスを示す、デバイスケースの分解斜視図である。
【００１０】
【図２】図２は、ヒンジで取り付け可能でありその中にポートを含む埋め込み可能デバイスを含む、ベース本体と、カバー本体とを有する、図１に示されるような本発明の開いたデバイスケースの斜視図である。
【００１１】
【図３】図３は、ヒンジで取り付け可能でありその中にポートを含む埋め込み可能デバイスを含む、ベース本体と、カバー本体とを有する、図１に示されるような本発明の閉じたデバイスケースの斜視図である。
【００１２】
【図４】図４Ａ〜４Ｅは、本発明の実施形態によるフィンガーグリップ構造の斜視図である。
【００１３】
【図５】図５は、本発明の一実施形態によるデバイスケースのカバー本体およびベース本体における窓構造の上面図である。
【００１４】
【図６】図６は、本発明の一実施形態による、デバイスケースおよびその中の埋め込み可能デバイスを収容し滅菌するためのデバイス充填パウチアセンブリ（ＤＦＰＡ）の斜視図である。
【００１５】
【図７】図７は、本発明の一実施形態によるデバイスケース貯蔵容器の斜視図である。
【００１６】
【図８】図８は、本発明の一実施形態による、図面を分かりやすくするために容器のカバーシートが取り除かれている、デバイスケースおよび中の埋め込み可能デバイスを挿入するための、図７のデバイスケース貯蔵容器および構成要素の分解斜視図である。
【００１７】
【図９】図９は、本発明の一実施形態による、図面を分かりやすくするために容器のカバーシートが取り除かれている、埋め込み可能デバイスケースおよび埋め込み可能デバイスが中に入っている、デバイスケース貯蔵容器の斜視図である。
【００１８】
【図１０】図１０は、本発明の一実施形態による、図面を分かりやすくするために容器のカバーシートが取り除かれている、デバイスケース貯蔵容器輸送バッグの斜視図である。
【００１９】
【図１１】図１１は、本発明の一実施形態による、図面を分かりやすくするために容器のカバーシートが取り除かれている、デバイスケース貯蔵容器が中に入っている、デバイスケース貯蔵容器輸送バッグの斜視図である。
【００２０】
【図１２】図１２Ａ〜１２Ｂは、本発明の一実施形態による、埋め込み部位の外部および内部にある、外科用サイザ（ｓｉｚｅｒ）の斜視図である。
【００２１】
【図１３】図１３Ａは、本発明の一実施形態による、埋め込み可能デバイスディプロイヤの分解斜視の使用順序の図である。図１３Ｂは、本発明の一実施形態による、構成要素部品を示す、埋め込み可能デバイスディプロイヤの分解斜視の使用順序の図である。図１３Ｃは、本発明の一実施形態による、デバイスケースから埋め込み可能デバイスを移送する間の、埋め込み可能デバイスディプロイヤの分解斜視の使用順序の図である。図１３Ｄは、本発明の一実施形態による、デバイスケースから埋め込み可能デバイスを移送する間の、埋め込み可能デバイスディプロイヤの分解斜視の使用順序の図である。図１３Ｅは、本発明の一実施形態による、デバイスケースから埋め込み可能デバイスを移送する間の、埋め込み可能デバイスディプロイヤの分解斜視の使用順序の図である。図１３Ｆは、本発明の一実施形態による、埋め込み部位における埋め込み可能デバイスの送達および留置を示す、分解斜視の使用順序の図である。図１３Ｇは、本発明の一実施形態による、埋め込み部位にある埋め込み可能デバイスの送達および留置を示す、分解斜視の使用順序の図である。図１３Ｈは、本発明の一実施形態による、埋め込み部位にある埋め込み可能デバイスの送達および留置を示す、分解斜視の使用順序の図である。図１３Ｉは、本発明の一実施形態による、ディプロイヤのシャフトの断面図である。
【００２２】
【図１４Ａ】図１４Ａは、本発明の一実施形態による、一代替埋め込み可能デバイスディプロイヤ実施形態の斜視図である。
【図１４Ｂ】図１４Ｂは、本発明の一実施形態による、埋め込み可能デバイスディプロイヤの構成要素部品を示す、埋め込み可能デバイスディプロイヤの分解斜視図である。
【図１４Ｃ】図１４Ｃは、本発明の一実施形態による、解剖学的埋め込み部位における埋め込み可能デバイスの送達および留置後の図である。
【発明を実施するための形態】
【００２３】
（実施形態の詳細な説明）
本発明のさらなる特徴および利点、ならびに本発明の様々な実施形態の構造および動作は、添付の図１〜図１４を参照して以下に詳細に説明される。図面において、同じ参照番号は同じ要素を示す。本発明の実施形態は、糖尿病の治療のための膵臓始原細胞が入った埋め込みデバイスの文脈で述べられているが、当業者には、本発明が、（それだけに限らないが）甲状腺細胞、副甲状腺細胞、膵臓細胞、腸細胞、胸腺細胞、肝細胞、内分泌細胞、皮膚細胞、造血細胞、骨髄幹細胞、腎臓細胞、筋細胞、神経細胞、幹細胞、ＥＳ細胞、系統制限的細胞（ｌｉｎｅａｇｅ−ｒｅｓｔｒｉｃｔｅｄ  ｃｅｌｌ）、始原細胞、前駆細胞（ｐｒｅｃｕｒｓｏｒ  ｃｅｌｌ）、遺伝子組み換え細胞、腫瘍細胞、ならびに、（それだけに限らないが）糖尿病を含む１つまたは複数の疾患または病気の治療のための誘導体およびその組合せを含む、あらゆるタイプの生体細胞、治療薬またはその混合物のマクロ封入に適用可能であることが容易に理解されよう。やはりまた、タンパク質（例えば、ヒトの病気で欠けたホルモン類および／または他のタンパク質）、抗体、抗生物質、リンホカイン、および治療上の適応のための同様のものなど、細胞ベース製品（ｃｅｌｌ−ｂａｓｅｄ  ｐｒｏｄｕｃｔ）を作り出す細胞も企図される。当業者なら、本発明が、様々な埋め込み可能デバイスのタイプ、材料、サイズおよび／または構成に適用可能であることも理解されよう。
【００２４】
本明細書において、科学誌の論文、特許公報および特許を含む様々な出版物が参照され、それらのそれぞれの開示は、その全体が参照により本明細書に組み込まれる。例えば、インスリン分泌細胞の作製方法、およびインスリン分泌細胞の作製のためのヒト多機能性幹細胞由来の膵臓始原体が入った埋め込み可能デバイスの埋め込みは、出願人らの、米国特許第７，５３４，６０８号、米国特許第７，６９５，９６５号、米国特許第７，９９３，９２０号、米国特許第８，３３８，１７０号、米国特許第８，２７８，１０６号、および米国特許第８，４２５，９２８号に開示されており、それらの全体が参照によって本明細書に組み込まれる。
【００２５】
（デバイスケース）
図１〜図４は、埋め込み可能デバイスの完全性を確保し維持するケース１の、非限定的かつ非排他的な実施形態を示している。ケースは、「埋め込み可能デバイスケース」、「デバイスケース」、「ケージ」、「ケース」またはその均等物と称される。例えば、一実施形態では、デバイスケースは、埋め込み可能デバイスが滅菌されるとき、または滅菌可能なとき（例えば、耐オートクレーブ）、移送されるときおよび充填されるときなどに、埋め込み可能デバイスの完全性を維持する。ケースは、全体的に、ケース１であり、第１の部分（例えば、蓋、カバー、カバー本体、上部本体）１０と、第２の部分（例えば、底部、ベース、トレー、ベーストレー、レセプタクル本体）３０と、第３の部分（例えば、窓、開口部、仕切り、セクション）２０と、第４の部分（把持可能手段、例えば、フィンガーグリップ、ハンドル、側壁）３６と、第５の部分（例えば、ヒンジシステム）２６、２８と、第６の部分（ロック、ラッチまたは密閉もしくは取り付けシステム、例えばラッチもしくはスナップエンクロージャ）１６、３２と、第７の部分（ポートシーリング領域またはポートシーリングステージ領域）３８と、第８の部分（例えば、ディプロイヤを収容し案内するための傾斜面および／またはサイドレール）とを含む。ケース１は、全体的に、埋め込み可能デバイス２００を収容するように構成されるが、任意のデバイス、器具、構成要素、装置、要素および材料などの完全性を確保し維持する目的で、そうしたデバイス、器具、構成要素、装置、要素および材料などを収容するように構成されてよい。
【００２６】
ケース１は、任意の数の「結合システム」、「取り付けシステム」、「密閉システム」またはその均等物を有することができ、カバー本体１０をベース本体３０に結合し埋め込み可能デバイスおよび／または生物活性物質などの物質を受ける体積を画成するのに使用される、ヒンジ２６、２８、スナップ１６、３２、１２、３４ボタン、ストリング、フック、ラッチおよびループ締結具、または他のタイプの締結具など、密閉、取り付け、結合またはある部分を別の部分に連結するための任意のシステムを示す。図２、図３は、カバー本体１０が、中に入っている埋め込み可能デバイス２００が部分的に隠される、第１のすなわち閉位置（図３）と、中に入っている埋め込み可能デバイス２００が現れるすなわち露出される、第２のすなわち開位置（図２）との間で動くように、ベース本体３０に結合されることを示している。図示されるように、カバー本体１０およびベース本体３０は、それらが互いに独立して動くことができるようにするやり方でカバー本体１０とベース本体３０を一緒に固定する、１つまたは複数、例えば２つの結合システムによって結合され得る。１つのそうした結合システムは図１に示されており、例えば、ヒンジ機構２６、２８であり、カバー本体１０をベース本体３０に互いに関連して枢動的に結合する。ヒンジ機構２６、２８は、一般的に、アパーチャまたはボア２６に挿入される枢動シャフトまたはロッド２８を含む。図示のように、ロッド２８は、カバー本体１０の遠位端に取り付けられるが、ベース本体３０に取り付けられてもよい。枢動ロッド２８は、カバー本体１０もしくはベース本体３０と一体に形成されても、または、別個の構成要素として設けられてもよい。カバー本体１０とベース本体３０を互いに取り付ける別のやり方は、図１に示されるようなラッチシステム１６、３２、１２、３４である。そうしたシステムは、最近位端１６、３２または側壁１２、３４においてカバー本体１０とベース本体３０をロックするのにもたらされ得る。本明細書に図示されるラッチシステムの１つの目的は、埋め込み可能デバイス２００が、ケース１に収納されている間に、ケース１から滑り出ないまたは動かないもしくは移動しないようにすることである。図示されるように、使用者は、ケース１内に埋め込み可能デバイス２００を装入するまたは回収する前に、スナップの摩擦嵌合に意図的な力を加えるようにスナップ１４を使用して、ラッチシステム１６、３２、１２、３４を開ける、すなわち結合解除する。１つの側壁のラッチシステム１２、３４が図示されているが、他の類似のラッチシステムが、ケースの長手軸にわたって全体的に組み込まれてよく、一部分において、埋め込み可能デバイス、器具、構成要素、装置、要素、材料およびその中に入れられる同様のものの形状および設計に応じて決められる。
【００２７】
別の態様では、ケースは、概してカバー本体１０に配置される少なくとも１つの位置合わせ孔２２と、ベース本体３０にある孔２２に相補的に合うピン２４とから構成され、ピン２４は、図１に示されるように位置合わせ孔２２に挿入される。またケースは、例えばディプロイヤである、以下により詳細に説明されるような本発明の一実施形態である、埋め込みツールと相互作用するまたは連結するための機能をもたらす。別の結合システムは、図１〜図４では、カバー本体およびベース本体の側壁の内面またはフィンガーグリップ３６の内面に嵌合するように示されている、カバー本体１０にある任意の数の足突起（ｆｅｅｔ  ｐｒｏｊｅｃｔｉｏｎ）１８である。例えば、図１は、足突起１８がフィンガーグリップ３６の１つのセクション内に嵌合、連結または嵌め込まれる、一実施形態を示している。そうした足突起は、少なくとも、ベース本体に対するカバー本体１０の動きまたは移動を阻止するのに有用であり、ベース本体の上にカバー本体がつぶれるのを防ぎ、それによってその中にある埋め込み可能デバイス２００が保持され確保される。
【００２８】
図１〜図４は、少なくとも１つの開口部または窓２０から構成される、カバー本体１０およびベース本体３０を示している。窓２０は、埋め込み可能デバイス２００に１つまたは複数の生物活性物質が出入りすることができるように構成される。例示として、窓は、長方形または半円形の形状のものになっているが、窓２０は一部分において、デバイス、器具、構成要素、装置、要素、材料およびその中に入れられる同様のものの形状および設計に応じて決まるあらゆる形状、設計または数のものであってよい。図１〜図４は、カバー本体１０およびベース本体３０において対称的な構成になっている窓２０を示しているが、それらは、埋め込み可能デバイスに１つまたは複数の生物活性物質が出入り可能でありさえすれば、対称的である必要はない。あるいは、図５は、カバー本体１０が１つの大きな長方形の窓２０を含み、その一方で、ベース本体３０が２つ以上の窓２０タイプを含む窓２０構造を示している。デバイス、器具、構成要素、装置、要素、材料および中に入れられる同様のもののタイプおよびやり方になお応じて、窓は、メッシュまたは薄いポリマー、フィルムまたはマトリックスをさらに含むことができ、これらのポリマーまたはフィルムのうちのいくつかは、埋め込み可能デバイスの視覚化を可能にすることができ、栄養媒体（ｎｕｔｒｉｅｎｔ  ｍｅｄｉｕｍ）に対する同様の浸透性および通過をもたらす。
【００２９】
本明細書に例示される埋め込み可能デバイス２００は、溶接される半透過性ポリマー材料と、治療薬を埋め込み可能デバイス２００に充填または装入するのに使用される少なくとも１つの埋め込み可能デバイスポート２０２とをさらに含む、マクロ封入埋め込み可能デバイスである。しかしながら、様々な埋め込み可能デバイスを保持するのに、本明細書に記載のデバイスケース実施形態から逸脱しない修正形態を使用することができる。また、実際、出願人らは、（それだけに限らないが）自己拡張型の埋め込み可能デバイス、大容量もしくはマクロ封入埋め込み可能デバイス、二次元および非二次元埋め込み可能デバイス、または３次元のマクロ封入埋め込み可能デバイスを含めて企図される様々な二次元および非二次元（例えば３次元）の埋め込み可能デバイスについて記述している。他の封入埋め込み可能デバイスは、出願人による、例えば、２０１４年３月７日出願のＰＣＴ／ＵＳ２０１４／０２２１０９、３−ＤＩＭＥＮＳＩＯＮＡＬ  ＬＡＲＧＥ  ＣＡＰＡＣＩＴＹ  ＣＥＬＬ  ＥＮＣＡＰＳＵＬＡＴＩＯＮ  ＤＥＶＩＣＥ、ならびに２０１１年１２月１２日出願の米国意匠出願第２９／４０８，３６６号、２０１１年１２月１２日出願の米国意匠出願第２９／４０８，３６８号、２０１２年５月３１日出願の米国意匠出願第２９／４２３，３６５号、２０１３年３月１３日出願の米国意匠出願第２９／４４７，９４４号、２０１４年３月７日出願の米国意匠出願第２９／４８４，３６３号、米国意匠出願第２９／４８４，３５９号、米国意匠出願第２９／４８４，３６０号、米国意匠出願第２９／４８４，３５７、２９／４８４，３５６号，米国意匠出願第２９／４８４，３５５号、米国意匠出願第２９／４８４，３６２号および米国意匠出願第２９／４８４，３５号、表題３−ＤＩＭＥＮＳＩＯＮＡＬ  ＬＡＲＧＥ  ＣＡＰＡＣＩＴＹ  ＣＥＬＬ  ＥＮＣＡＰＳＵＬＡＴＩＯＮ  ＤＥＶＩＣＥに記載されている。
【００３０】
図１〜図３は、ポートシーリングステージ領域３８を有するケース１を示している。ポートシーリングステージ領域３８は、カバー本体１０およびベース本体３０における切欠きまたは開口部を含み、それによって、埋め込み可能デバイス２００が充填された後に埋め込み可能デバイスポート２０２を溶接するおよび／またはシーリングすることができる少なくとも溶接器具または任意のシーリング器具が受け入れられる。溶接またはシーリング器具は、ハンドヘルドであってよく、または据え付け式であってもよい。あるいは、ケース１は、さらに、ポートシーリングステージ領域３８内においてポート２０２を整列させるポート案内４０を有することができる。
【００３１】
埋め込み可能デバイス２００の完全性を維持するように、ケース１は、一般的に、図１〜図４に示されるように、ケース１を扱いやすく操作しやすくすることができる、例えばフィンガーグリップ３６である剛直または非剛直なグリップを有する側壁をさらに含み得る。これは、例えば、デバイスの細胞充填プロセスおよび／もしくはデバイスの回収および移送、または取扱者による操作の間、有益である。図１〜図４は、ケース１の各側壁にある５つのフィンガーグリップ３６を示している。ただし、図５は、くびれのあるフィンガーグリップ１２０、１２２、テクスチャ加工のフィンガーグリップ１２４、１２６、１２８、彫刻またはエッチングされたフィンガーグリップ１２４、およびゴム引またはテクスチャ加工された粘着性のあるフィンガーグリップ１２４、１２８を含む、他の非限定的かつ非排他的なフィンガーグリップ構造を示している。フィンガーグリップを作製するための技術および方法については、当業界で周知である。あるいは、取り扱い、組み立て、充填、埋め込み可能デバイスポートのシーリング、移送、貯蔵および輸送、ならびに埋め込み可能デバイスの留置が自動化されるのであれば、フィンガーグリップは、そうした自動化のために最適化されてよく、またはその場合、組み込まれなくてもよく、もしくは他の場所に組み込まれてもよい。
【００３２】
一実施形態では、埋め込み可能デバイス２００は、ケース１内にある間に、様々な品質管理試験を受けることができる。品質管理試験に応じて、様々な試験パラメータが使用される。例えば、裸眼でのおよび／または顕微鏡を用いた乾式または湿式目視検査によって、埋め込み可能デバイスの品質を決定することができる。一実施形態では、まず、埋め込み可能デバイス２００の乾式目視検査がデバイスケース１の外側で実施され得、その後、顕微鏡を用いてケース１の内部で実施される。一実施形態では、さらに、湿式目視検査がイソプロピルアルコール（ＩＰＡ）で満たされたペトリ皿に埋め込み可能デバイスを沈めることによって実施され得、埋め込み可能デバイス２００は、約３０、４０、６０、８０または１００秒間膨らまされ、その間、埋め込み可能デバイスの両面の目視検査が実施される。乾式および湿式目視検査の両方について、デバイスの欠陥（例えば、潜在的な欠陥などにつながる恐れがある、引き裂き、穴あき、漏れまたは外観的な異常）になり得る品質値指数は、裸眼でおよび／または顕微鏡を用いて決定され得る。
【００３３】
一実施形態では、圧減衰品質管理試験がケース１内の埋め込み可能デバイス２００に実施され得る。圧減衰は、全ての埋め込み可能デバイスで実施される非破壊試験である。一実施形態では、圧減衰試験は、埋め込み可能デバイスの乾式および湿式目視検査の前に行われ得る。圧減衰試験には、（それだけに限られないが）Ｒａｐｔｏｒ、Ｓｐｒｉｎｔ  ｉＱ、Ｑｕａｌｉｔｅｋ  ｍＲ、Ｏｐｔｉｍａ  ｖＴ、およびＶｅｃｔｏｒ、ならびに好ましくはＵＳＯＮ  Ｓｐｒｉｎｔ  ｉＱなどのＵＳＯＮ漏れ試験装置を含む、様々な器具を使用することができる。圧減衰試験のため、埋め込み可能デバイス２００が入っているデバイスケース１は、再び、ＩＰＡを含む湿潤性溶液に完全に沈められる。デバイスは、潜在的にあらゆる動きが測定値に影響を与える恐れがあるので、好ましくは、この試験中、静止したまますなわち動かない状態にしなければならない。圧減衰は、経時的な減衰の測定である。圧減衰試験をパスできる埋め込み可能デバイス２００の品質指標測定値または値は、約１０、２０、３０、４０、５０、６０、８０、または１００秒間以上の間、約０．００６〜約０．０２０ｐｓｉ、好ましくは、約１０、２０、３０、４０、５０、６０、８０、または１００秒間以上の間、約０．００８〜約０．０１０ｐｓｉ、好ましくは、約１０、２０、３０、４０、５０、６０、８０、または１００秒間以上の間、約０．０１０ｐｓｉである。
【００３４】
一実施形態では、埋め込み可能デバイス２００がそれぞれのケース１に入ったかたちで品質試験が行われることによって、品質管理試験中のデバイスの完全性が保護され、埋め込み可能デバイスの操作または接触の回数が減少する。というのも、埋め込み可能デバイスは、品質管理試験、滅菌、以下により詳細に説明されるようなデバイス充填パウチアセンブリへの充填、ならびに、例えば膵臓始原細胞、ＰＤＸ１−陽性膵臓内胚葉細胞、内分泌細胞、未熟β細胞および同様のものである治療薬の埋め込み可能デバイス２００への充填の間、ケース１内に入ったままになっているからである。
【００３５】
本明細書に記載の実施形態は、治療薬を中に有する埋め込み可能デバイスと共に、すなわち一緒に使用するためのツールおよび器具について述べる。出願人らは、糖尿病の細胞療法、特に、糖尿病の治療のための封入細胞療法（ｅｎｃａｐｓｕｌａｔｅｄ  ｃｅｌｌ  ｔｈｅｒａｐｙ）を開発しており、本明細書に記載の実施形態と共に使用するのに適した、詳細に記載される様々な内胚葉系または胚体内胚葉系細胞、特に、膵臓系細胞を有している。例えば、出願人らの、少なくとも、２００８年４月８日出願の米国特許出願第１２／０９９，７５９号、表題ＭＥＴＨＯＤＳ  ＯＦ  ＰＲＯＤＵＣＩＮＧ  ＰＡＮＣＲＥＡＴＩＣ  ＨＯＲＭＯＮＥＳ、２００９年１１月１３日出願の米国特許出願第１２／６１８，６５９号、表題ＥＮＣＡＰＳＵＬＡＴＩＯＮ  ＯＦ  ＰＡＮＣＲＥＡＴＩＣ  ＬＩＮＥＡＧＥ  ＣＥＬＬＳ  ＤＥＲＩＶＥＤ  ＦＲＯＭ  ＨＵＭＡＮ  ＰＬＵＲＩＰＯＴＥＮＴ  ＳＴＥＭ  ＣＥＬＬＳ、２０１３年１２月１２日出願の米国特許出願第１４／１０６，３３０号、表題ＩＮ  ＶＩＴＲＯ  ＤＩＦＦＥＲＥＮＴＩＡＴＩＯＮ  ＯＦ  ＰＬＵＲＩＰＯＴＥＮＴ  ＳＴＥＭ  ＣＥＬＬＳ  ＴＯ  ＰＡＮＣＲＥＡＴＩＣ  ＥＮＤＯＤＥＲＭ  ＣＥＬＬＳ（ＰＥＣ）  ＡＮＤ  ＩＭＭＡＴＵＲＥ  ＢＥＴＡ  ＣＥＬＬＳ、２０１４年３月７日出願の米国特許出願第１４／２０１，６３０号、および、２０１４年３月１３日出願のＰＣＴ／ＵＳ２０１４／０２６５２９、ＩＮ  ＶＩＴＲＯ  ＤＩＦＦＥＲＥＮＴＩＡＴＩＯＮ  ＯＦ  ＰＬＵＲＩＰＯＴＥＮＴ  ＳＴＥＭ  ＣＥＬＬＳ  ＴＯ  ＰＡＮＣＲＥＡＴＩＣ  ＥＮＤＯＤＥＲＭ  ＣＥＬＬＳ（ＰＥＣ）ＡＮＤ  ＥＮＤＯＣＲＩＮＥ  ＣＥＬＬＳには、中内胚葉および胚体内胚葉系タイプの細胞についての詳細が記載されている。好ましい一実施形態では、埋め込み可能デバイスは、治療薬、生細胞、内胚葉系細胞、胚体内胚葉系細胞、始原細胞、幹細胞から分化された始原細胞（または、現在知られている方法に由来するもの、もしくは今後発見される方法に由来するものを含むヒト胚幹細胞、胎児幹細胞、臍帯血幹細胞、人工誘導多能性幹細胞、再プログラム化細胞、単為生殖胚細胞、生殖胚細胞、および、間葉もしくは造血幹細胞、膵臓始原細胞）、ＰＤＸ１陽性膵臓始原細胞、内分泌前駆細胞、内分泌細胞、未熟β細胞、未熟島細胞を含む。
【００３６】
（デバイス充填パウチアセンブリ（ＤＦＰＡ））
図６は、デバイス充填パウチアセンブリ（ＤＦＰＡ）５０の非限定的かつ非排他的な実施形態を示している。デバイス充填パウチアセンブリ（ＤＦＰＡ）５０は、ケース１およびその中の埋め込み可能デバイス２００の滅菌のための滅菌バッグとしてだけでなく、例えば、埋め込み可能デバイスの細胞充填である、埋め込み可能デバイスの充填を促進するアセンブリとしての機能を果たす。
【００３７】
図６に示されるように、ＤＦＰＡ５０は、第１のシート５２と第２のシート５４を剥離可能に接着することによって形成される二重剥離パウチからなるアセンブリまたはシステムである。第１のシート５２は、埋め込み可能デバイス２００およびケース１を見えるようにする透明な剥離可能透明窓５８と、入口システムと、出口システムとを有する。透明窓５８は、外周５６、６０に沿った脆い（引き離される）シールを含む。入口システムは、スペーサチューブ６２を含むことができる。スペーサチューブ６２は、（それだけに限られないが）マイクロボアルアー（ｍｉｃｒｏｂｏｒｅ  Ｌｕｅｒ）６６、６８を含む任意の流体嵌合部に恒久的に取り付けられ嵌合され得る、または任意の流体嵌合部に取り外し可能に取り付けられ得る。一実施形態では、スペーサチューブ６２は、埋め込み可能デバイスポート２０２を受け入れることができ、したがって、ポート２０２は、スペーサチューブ６２に挿入され、さらに、そこを通って細胞リザーバに連結され、例えば、その細胞リザーバの中の細胞が埋め込み可能デバイスに充填される。出口システムは、例えば余剰栄養媒体である余剰媒体を排出、枯渇または空にするための排出ポート７２と排出ポートキャップ７４とを含む。入口システムおよび出口システムの最も外側の部分は、例えば、掃除可能キャップであるキャップ７４をさらに含むことができ、一方または両方のシステムは、シュラウドまたはシース７０に覆われる。さらに、これらの入口システムおよび出口システムは、埋め込み可能デバイスへの装入が意図される細胞または治療薬の目的に合わせて修正または最適化されてよいと理解されよう。一実施形態では、細胞集合体の懸濁液が埋め込み可能デバイスに装入され、その場合いくつかのマイクロボア機能が、細胞充填プロセス中の詰まりまたは密集を最低限に抑える、減少させるおよび防止する助けとなる。ＤＦＰＡは、単独でまたは好ましくはケース１およびその中の埋め込み可能デバイス２００と一緒に全体的に滅菌可能である、または滅菌可能な材料もしくは紙で作られる。この例では、ケース１および埋め込み可能デバイス２００は、同時に滅菌され、したがって、滅菌後のケースおよび埋め込み可能デバイスのさらに別の組み付けは必要ない。
【００３８】
ＤＦＰＡ５０は、さらに、埋め込み可能デバイス２００に生細胞または他の治療薬を充填するためのアセンブリまたはシステム、具体的には容器またはリザーバとして機能する。糖尿病の治療のための細胞療法の例では、埋め込み可能デバイス２００には、膵臓始原生細胞、例えばＰＤＸ１−陽性膵臓内胚葉細胞、ＰＥＣ、内分泌前駆細胞、内分泌細胞、または未熟β細胞が充填される。埋め込み可能デバイスの充填方法には、Ｂａｘｔｅｒ  Ｉｎｔｅｒｎａｔｉｏｎａｌ  Ｉｎｃ．（「’２６１  Ｂａｘｔｅｒ特許」）への米国特許第５，９６４，２６１号があり、そこには、埋め込みデバイスの手作業での湿潤、滅菌、シリンジを介した充填およびシーリングが記載されている。しかし、’２６１  Ｂａｘｔｅｒ特許に記載される埋め込み可能デバイスとは対照的に、本明細書で想定される埋め込み可能デバイスは、はるかにより小さい容積のＢａｘｔｅｒの埋め込み可能デバイスの場合よりも少なくとも６倍の容積容量を有し、すなわち、４．５μＬ、２０μＬおよび４０μＬに対して２５０μＬであり、そしてそのため、本発明は、はるかにより大きな容量の埋め込み可能デバイスのスケールにされた湿潤、滅菌、充填およびシーリングの製造および製法を企図している。例えば、これらの他の埋め込み可能デバイスは、細胞が装入される前に、入口システムからＤＦＰＡ５０バッグに入れられる、例えば滅菌済みの水、食塩水または約７０％〜１００％のエタノールである事前湿潤に適した液体混合物に浸される、またはそれが中に注射されることによって、予め湿らされるまたは用意される必要がある。本明細書における一実施形態では、細胞集合体の懸濁液が埋め込み可能デバイスに装入される直前に埋め込み可能デバイスの内部が例えば（エタノールではない）細胞培地で下準備されるまたは湿らされ得る。下準備溶液は、この例では、細胞集合体がその中に懸濁される溶液と同じ溶液（または培地）であってよい。これは、’２６１  Ｂａｘｔｅｒ特許を含む先に開示されている方法よりも少なくともステップ１つ分少なく、残余エタノールを懸念しなくてよい。溶液（細胞培地、他の栄養媒体、または他の液体混合物）は、埋め込み可能デバイスからあらゆる空気を除去するステップを行う出口システムを通してバッグの外に排出される。水またはエタノールが埋め込み可能デバイスの事前湿潤に使用される場合、次いで、残ったあらゆる水またはエタノールをデバイスから洗い流すのに、食塩水または細胞培地が用いられ得る。細胞装入するのに埋め込み可能デバイスを事前に湿らす必要がある場合、細胞装入を妨げる恐れがある気泡が流体路（例えば、入口システムおよび出口システム）内に閉じ込められていないことの確認に注意が必要である。細胞懸濁液の体積およびシリンジに引き抜かれる媒体の量は、埋め込み可能デバイスの最大容積容量またはサイズに応じて決まる。望むなら、より密度の低い細胞濃度を使用することもできる。例えば、１×１０７細胞入りの最終量３０μＬを、２０μＬの埋め込み可能デバイスに使用してもよい。’２６１  Ｂａｘｔｅｒ特許に記載の事前湿潤および充填方法は、多くの部分を含み、研究を意図しており、臨床での使用は意図されておらず、したがって、任意の細胞製��についての法規制の順守に必要な滅菌および／または無菌環境を維持することが難しい。ＤＦＰＡ５０は、二重機能（滅菌および充填アセンブリ）を有することができるので、ケース内の埋め込み可能デバイスが危険に曝される、破られるまたは汚染される可能性が減少する。さらに、’２６１  Ｂａｘｔｅｒ特許のデバイスは、本明細書における実施形態のデバイスよりもサイズおよび容積容量が著しく小さいので、シリンジによる細胞の装入は実行可能であるが、スケールアップの目的には実用的ではない。
【００３９】
滅菌は、従来から、放射線（例えば、電離放射線、ガンマ線照射、電子線照射）、乾熱暴露または高温湿気（例えば蒸気（湿熱））暴露、化学物質（例えば、エチレンオキシド暴露など）で行われてよいので、本発明のＤＦＰＡ５０には、効果的な成分（ガス）および水蒸気が通過することができその一方で微生物または液体水は通過することができない材料が使用される。ＤＦＰＡ５０、ケース１および埋め込み可能デバイス２００を同時に滅菌することができる滅菌システムが好ましいが、ケース１または埋め込み可能デバイス２００のいくつかの材料は、高温とも照射とも相性が良くない恐れがあり、したがってエチレンオキシド暴露が適当な滅菌アプローチである。さらに、滅菌アプローチは、滅菌パッケージ材料の選択に影響することもある。本明細書に記載のパッケージング材料は、上記で企図される大部分の滅菌方法に適合する。
【００４０】
ＤＦＰＡ５０、具体的には、例示の実施形態のシート５２、５４は、好ましくはポリエステル、ポリ塩化ビニル、ポリエチレン、ポリプロピレン、エチレンコポリマー、イオノマー樹脂、または、強く、軽量で可撓性を有し、水、化学物質および摩擦に耐えることができる、ガス透過性ポリエチレン布もしくはポリプロピレン不織布などの材料から作られる、ベース材料または滅菌紙を剥離可能に接着することによって形成される。あるいは、適当な程度の接着強度を示し、第１のシート５２と第２のシート５４との間のシール層として機能する熱可塑性の透明な樹脂フィルムが、シートのガス透過性を害することなく、シート間に積層され得、両方の材料が互いに封止され接着されてもよい。他の実施形態では、ＤＦＰＡ５０は、本質的に、以下の図１１において輸送バッグ１１０について詳細に述べられるものと同じ特性のものからなる。
【００４１】
透明窓５８は、好ましくは、二軸延伸ポリエチレンテレフタレート（Ｍｙｌａｒ（商標））で作られる、または、延伸ポリエチレンテレフタレート（ＰＥＴ）から作られその高い引張強度、化学的安定性、寸法安定性、透明性、反射性、ならびにガスおよび匂いのバリア特性のために使用されるポリエステルフィルムで作られる。しかしながら、通常の取り扱のもとで滅菌バリアを維持するあらゆる透明なポリマーフィルムを含む、本発明で想定されるＤＦＰＡ５０または透明窓５８の各ベース材料に関して上述したものと実質的に同様の特性を持つ他の材料（例えば、ポリエチレン）も許容可能である。
【００４２】
（デバイスケース貯蔵バッグ）
図７〜図９は、細胞が充填される埋め込み可能デバイス２００を貯蔵するのに有用な容器または貯蔵バッグ８０の非限定的かつ非排他的な実施形態を示す。図９は、本発明に従って作られたバッグ８０の一斜視図である。貯蔵バッグ８０は、従来型の構成で作られてよく、外周１６８ならびに側部および上側の脆いシール１００で封止される一対のプラスチックシートと、必要に応じて貯蔵バッグ８０を立てた位置で維持するためのハンガー提供部１０４と、様々な位置合わせ孔８４とを含む。あるいは、図７、図８に示されるように、貯蔵バッグ８０は、さらに、流体嵌合部８８、９４、９６に恒久的（例えば、ＵＶ接合）または取り外し可能に連結されるアクセスポート８６、９２と、およびキャップ９８、９０とを含むことができる。
【００４３】
本発明によれば、貯蔵バッグ８０は、（それだけに限られないが）ポリエチレン、およびエチレン−ビニル−アセテート（ＥＶＡ）、ポリオレフィン、ポリオレフィン混合物、ポリカーボネート、ポリスルホン、ポリスチレン、ジ−２−エチルヘキシルフタレート（ＤＥＨＰまたはＤＯＰ）として当業界で既知の可塑剤で可塑化されたポリ塩化ビニル（ＰＶＣ）、または場合によっては、トリ−２−エチルヘキシルトリメリテート（ＴＯＴＭもしくはＴＥＨＴＭ）のようなトリメリット酸のいくつかのトリエステル類、ならびに好ましくはポリエチレンおよびＥＶＡを含む、透明な可撓性の滅菌適応性のある強いプラスチックで作られる。貯蔵バッグ８０に選ばれる材料は、同時押し出しのポリエチレンおよびＥＶＡであり、標準的なＰＶＣ材料よりも有利である。というのも、それは、細胞が封入される貯蔵バッグ８０の内腔へのプラスチックの浸出を減少させるまたは防ぎ、また、従来のＰＶＣ製造において一般的に用いられる一般的な環境水銀レベルを低下させるからである。これらのフィルムおよび上述のＰＶＣ可塑剤については、例えば、Ｗ．Ｗａｒｎｅｒらへの米国特許第４，２８０，４９７号、およびＤ．Ｓｍｉｔｈへの米国特許第４，２２２，３７９号により詳しく記載されている。しかしながら、同様の可塑化バッグは、血液が数日間バッグ内に貯蔵されると、血液の血漿中に検出可能な量のエステル型の可塑剤が出ることが分かっている。したがって、本発明の貯蔵バッグの一実施形態は、埋め込み可能デバイス２００およびケース１内に封入される生細胞を保持し貯蔵する貯蔵バッグの内部に可塑剤が浸出しないことが好ましい。さらに、埋め込み可能デバイス内に封入される細胞には、ガスおよび栄養の交換が必要であり、したがって、任意の可撓性プラスチック材料は、好ましくは、特に長期間の貯蔵のために、貯蔵される細胞の代謝要求に適合し、細胞の生存を保つ助けとなるように、ガス透過性または不透過性であるべきである。
【００４４】
図８は、デバイスケース１を無菌環境の維持を助ける貯蔵バッグ８０に装入することにより、ケース１および／または埋め込み可能デバイス２００に接触するまたは触れることを最小限にする、代替構成要素を示している。図示されるように、例えば次に行われるシーリングの間、貯蔵バッグ８０の上側または上方または近位部分を保護する第１のスリーブ１３４、ならびに、ケース１および充填済みの埋め込み可能デバイス２００を貯蔵バッグ８０内へと滑動させるように第１のスリーブ１３４内に挿入可能な第２のスリーブまたはガイド１３６がある。ケース１および充填済みの埋め込み可能デバイス２００が貯蔵バッグ８０に入れられた後、バッグには、（それだけに限らないが）Ｄｕｌｂｅｃｃｏ’ｓ  Ｍｏｄｉｆｉｅｄ  Ｅａｇｌｅ培地（ＤＭＥＭ）、またはＣｏｎｎａｕｇｈｔ  Ｍｅｄｉｃａｌ  Ｒｅｓｅａｒｃｈ  Ｌａｂｏｒａｔｏｒｉｅｓ（ＣＭＲＬ）によって開発されたＣＭＲＬ培地、ＳｔｅｍＰｒｏ  ｈＥＳＣ  ＳＦＭ（Ｌｉｆｅ  Ｔｅｃｈｎｏｌｏｇｉｅｓ）、またはあらゆる適当な貯蔵培地などの基本培地を含む細胞貯蔵培地が充填され、それによって、そうした媒体によって中の埋め込み可能デバイス２００が浸され、完全に覆われ、湿り気が保たれる。貯蔵バッグ８０が充填された後、次いで、上側開口部が封止され、続いて側部の脆い１００が封止され、それによってデバイスケース、埋め込み可能デバイスおよび中の貯蔵培地の完全な封止が形成される。そうしたやり方での充填済みの埋め込み可能デバイス２００の貯蔵は、移植前、生きた細胞の生存能力を維持するのに適切な貯蔵温度で、最大１日、２日、３日、４日、５日、６日、７日、８日、９日、１０日、１１日、１２日、１３日、１４日、１５日、１６日、１７日、１８日、１９日、２０日、２５日および３０日以上の期間に適している。
【００４５】
一実施形態では、貯蔵バッグ８０は、全周シール１６８および脆いシール１００が作られ、次いで、脆いシール１００がそのまま残るように、外周シール１６８の底部および側部セクションが残され、その一方で外周シールの上側および上部セクションは残らないように（例えば、これらのセクションは切り取られるまたは捨てられる）バッグが切り取られることによって形成される。あるいは、外周シール１６８は、使用に応じて、例えば、使用において脆いシール１００の使用が必要ない場合またはそれをはぎ取る必要がない場合、脆いシール１００の横にそのまま保たれ、そして、上部開口部を除いて残されてもよい。
【００４６】
（輸送バッグ）
図１０、図１１は、本発明による非限定的かつ非排他的な輸送バッグ１１０を示している。輸送バッグ１１０は、第１のシート１１４および第２のシート１１６から形成され、それらは、互いに向かい合うように配置され、パウチを形成するように３つの側部１１２に沿って互いに封止され、残りの側に沿って、例えばデバイスケース貯蔵バッグ８０である物品を受容するのに適した開口部１１６が残される。図示の実施形態では、シート１１４、１１６は、全体的に、正方形または長方形の形状であり、バッグの両側の縁に近接するシール領域１１２に沿って互いに封止され、さらにバッグの一方側の縁にある角度をなして延在するシール領域に沿って互いに封止される。使用者によって輸送バッグ１１０にその内容物が充填された後、輸送バッグ１１０は、内部の内容物の滅菌を保ちながら開口部を閉じるように無菌的に封止され得る。シート１１４、１１６の互いのシーリングは、当業界で周知の従来からの熱または超音波のシーリング器具を用いて行われ得る。無菌での取り扱いを維持するように、輸送バッグ１１０は、内容物が充填されている間、バッグの内部に触れずにそれを開けるおよび開けたままにしておくのに使用する、バッグの外側に取り付けられる１つまたは複数のハンドル１１８をさらに含むことができる。
【００４７】
一実施形態では、図１１の輸送バッグの材料は、図６のＤＦＰＡ５０と実質的に同様の特性のものである。両方とも、熱シール可能な透明な熱可塑性ポリマーフィルムの内側層からなり、一般的に滅菌可能な材料または紙から作られる２枚のシートの間で積層が形成されている。好ましくは、シートは、ポリオレフィン材料であり、その適当な例としては、ポリプロピレン、ポリエチレン、ＥＡＡ、ＥＭＡ、ＥＶＡなどのエチレンコポリマー、およびＤｕＰｏｎｔからのＳｕｒｌｙｎ（登録商標）またはＥｘｘｏｎＭｏｂｉｌからのＩｏｔｅｋ（商標）などのイオノマー樹脂が含まれる。薄層およびシートの厚さは、適当には、約０．５ミル〜約４．０ミル、より好ましくは約１．５ミル〜約３．０ミル、最も好ましくは約２ミルであり得る。あるいは、ＤＦＰＡ５０について図６に示されるように、シート１１４、１１６は、強度を与えることができ、耐穿刺性および寸法安定性があり、バッグとしての耐久性がある、透明な材料からなってもよい。透明な材料として適当な材料には、ポリエチレンテレフタレート（ＰＥＴ）、ナイロン、ポリプロピレン、ポリエチレンおよびセロハンが含まれる。二軸延伸ＰＥＴおよび二軸延伸ナイロンなど、二軸延伸フィルムが特に好ましい。シートの厚さは、約０．３６〜２．０ミル、より好ましくは約０．４８〜１．０ミル、最も好ましくは約０．４８ミル（４８ｇａ）であってよい。それに加えて、シート１１４、１１６は、透明または不透明であり、例えば分子配向されたポリクロロトリフルオロエチレン（ＰＣＴＦＥ）フルオロポリマーフィルムである防湿層を有することもできる。ＰＣＴＦＥフィルムは、透明であり、生化学的に不活性であり、耐化学物質性であり、可塑剤および安定剤が使われていない。好ましくは、分子配向されたＰＣＴＦＥフィルムは、一軸延伸フィルムである。ＰＣＴＦＥフルオロポリマーフィルムは、Ｈｏｎｅｙｗｅｌｌ，Ｉｎｃ．から、Ａｃｌａｒ（登録商標）として販売されている。
【００４８】
従来のラミネーションおよびシーリング方法は、（それだけに限らないが）接着スプレー、ロールコーティング、ナイフオーバーロールコーティング、ワイヤロッドコーティングまたはグラビアコーティングの使用を含む。適当な接着剤には、アクリル接着剤、エポキシ硬化ポリエステルウレタン、湿気硬化ポリエステルウレタン、およびイソシアネート末端ポリエステル接着剤を含む、溶剤型、水性または無溶剤型の接着剤が含まれる。あるいは、内側（すなわち中間）の薄膜層は、押し出しコーティングによってシート１１４、１１６上に直接的に形成されてもよく、透明な外層があるのであれば、上述したような既知の接着剤および技術を用いて、シート１１４、１１６に直接的に積層されてもよい。望むなら、透明層の内側面は、製品ラベル、絵またはその他の情報が印刷された層をもたらすように、積層する前に、裏面印刷されてもよい。シート１１４、１１６は、積層前または後に表面印刷されてもよい。
【００４９】
（サイザ）
図１２は、本発明による非限定的、非排他的な外科用サイザを示している。サイザ１５０は、遠位すなわちポケット形成部分１５６と、近位すなわちハンドル部分１５４とを含む。図示の例では、ポケット形成部分１５６は、大まかな形状になっており、すなわち埋め込まれるべき埋め込み可能デバイス２００のためのキャビティをサイジングする大まかな形状になっている。実際の埋め込み可能デバイスのいくつかの詳しい態様、例えばそのポートおよび表面の詳細は、ポケット形成部分１５６に再現される必要はなく、実際、そうした詳細を省くことが、製造の簡素化を助け、適切に作製されなった場合に潜在的に組織に損傷を与える恐れがある機能の数を減少させ、また、全体的な幾何形状にかかわらず、埋め込み可能デバイス２００が対象の埋め込み部位に適合できるようにするキャビティを作製する働きをすることができる。例えば、一実施形態では、サイザは、埋め込み部位の組織を広げるのに有用なように前縁がより鋭くなった若干テーパ状の形になっている。一実施形態では、ポケット形成部分１５６は、非二次元形状を有することができ、例えば、ポケット形成部分１５６の細かい形状および湾曲は、特定の外科処置、解剖学的部位、およびアクセス経路向けにされるまたはそれに合わせられてよい。さらに、ポケット形成部分１５６は、埋め込み可能デバイスの実際の寸法よりも若干大きくてよく、例えば、埋め込み可能デバイスの寸法の１０５％、１１０％、１１５％、１２０％、１２５％、または１３０％以上に拡大されてもよい。埋め込み可能デバイス２００と同じく、その複製であるポケット形成部分１５６は、傷つきやすい組織に損傷を与えないように、例えば、背、腕、腹、横腹、脚などの湾曲に合わせた輪郭にするなど、関連の解剖学的埋め込み部位の輪郭に追従するように形作られ得る。
【００５０】
近位すなわちハンドル部分１５４は、把持可能ハンドル１５４が付いた細長い実質的に二次元のハンドル部分である。ハンドル１５４は、エッチング、彫刻、またはテクスチャ加工され、または適切な把持面を外科医に提供するように、ヒトの親指または人差し指および中指に自然と適合する切欠き（または溝）を含むことができる。切欠きは、円形孔、細長いスロット、または他の形状（例えば、フック形）の形をとることができ、追加のフィードバックのためのテクスチャ加工されたグリップを有することができる。あるいは、遠位すなわちポケット形成部分１５６が比較的滑らかに保たれながら、細長いシャフトと把持可能ハンドル１５４を含む近位すなわちハンドル部分全体がテクスチャ加工されてもよい。さらに他の実施形態では、ポケット形成部分１５６が、近位すなわちハンドル部分１５４に恒久的または取り外し可能に結合されてもよい。
【００５１】
それでもやはり、サイザ１５０は、非二次元の幾何形状を有することができ、例えば、近位すなわちハンドル部分の細かい形状および湾曲は、特定の外科処置、解剖学的部位、およびアクセス経路向けにされるまたはそれに合わせられてよい。例えば、ハンドル部分は、屈曲の半径が異なる、（平坦セクションおよび屈曲セクションを含む）様々なセクションを有することができる。したがって、特定の用途に応じて、本発明によるサイザ１５０は、外科医が埋め込み可能デバイスを例えば真皮の特定の層または筋肉と真皮の間である適用可能な解剖学的領域に配置するのを助けるように様々に曲げられた人間工学的なハンドル部分を含むことができる。
【００５２】
さらに、サイザ１５０は、使用を助ける様々なマーキングを有することができる。例えば、ポケットサイジング部分１５６は、埋め込み可能デバイスの固定機能もしくは他の関連する構造的機能の場所に対応することができるマーキングを含むことができ、または、埋め込み部位を測定する定規のように働くことができる。例えば、埋め込み可能デバイス２００の一実施形態では、ポケットサイジング部分１５６は、縫合リング（図１３の２０４）に対応する縫合固定配置を示すマークを有する。近位すなわちハンドル部分は、さらに、細長いシャフトおよび／またはハンドル上にマーキングを有することができ、それは、ポケットサイジング部分が例えば後方にさらに遠くに押されてはならないときの外科医の理解を助けることができる。
【００５３】
さらに、サイザは、フェルトマーカのようなマーキングツール、焼灼ツール、または、インプラントが配置されるべき解剖学的な場所に最も近いいくつかの場所を識別する他の類似のマーキングツールを含むことができる。
【００５４】
あるいは、遠位および近位の部分にある距離マーキングは、上述した方法のうちのいずれか１つを用いて組織上においてある距離にマークがつけられるようにする関連の孔またはスロットを有することができる。一実施形態では、ポケットサイジング部分１５６は、孔マーキングを含むことができ、それによって、例えばペンまたは焼灼ツールで、埋め込み可能デバイスの所望の配置にマークをつける、または埋め込み可能デバイスの境界線にマークをつける、または任意の縫合の配置にマークをつけることができるようになる。任意選択で、ハンドル部分に沿った特定の距離のところにある（例えば、ポケット形成部分の遠端までの距離を示すミリメートル単位での）追加の深さマーキングは、外科医に埋め込み可能デバイスがその最適な深さまたは必要な深さに達したときを知らせるガイドを提供することができる。マーキングは、一般的に、本来は触覚的および／または視覚的であり、例えば、触って感じることができる溝もしくはノッチ、または単純にハンドル部分に描かれた線であってよい。もちろん、本明細書に記載のマーキングのタイプおよび場所は、単なる例示であり、当業者なら、このマーキングを種々の他の用途の外科手術ツールに簡単に適合することができるであろう。
【００５５】
いくつかの実施形態では、サイジングおよびマーキング機能は、同じ器具に組み込まれず、その代わりに、２つの別個の外科器具によって提供される。
【００５６】
そうしたサイザおよび／またはマーキングツールの製造材料は、以下に詳細に説明される。
【００５７】
（ディプロイヤデバイス）
図１３は、本発明の（「ディプロイヤ」、または、ディプロイヤデバイス、ディプロイヤツール、留置ツール、送達ツール、送達デバイス、埋め込みツールもしくは埋め込みデバイスとも称される）留置デバイスの非限定的かつ非排他的な一実施形態を示している。本明細書で使用されるような、ディプロイヤ、または「装置」、「アセンブリ」、「二次元アセンブリ」もしくは「システム」などのその均等物は、埋め込み可能デバイスなど中にあるデバイスを後退、保持、移送、送達および留置することができるツールまたは器具を示す。一般的に、ディプロイヤ１３０は、少なくとも近位および遠位の端部または部分を含む。遠位端は、さらに、ホルダすなわちディプロイヤ端１４２、１４６、１４４として機能し、近位端は、さらに、ハンドル端１３８として働く。ディプロイヤの全長は、好ましくは、留置可能な埋め込み可能デバイスの長さよりも長い。
【００５８】
遠位端は、さらに、少なくとも２つのホルダプレート１４２、１４６と、中間可動ディプロイヤプレートまたは要素１４４と、ハンドル１３８をその近位端に含む細長いシャフト１３０とを含む。ホルダプレートは、カバープレート１４２（もしくは、カバー）と、ベースプレート１４６（もしくは、ベース）（または、それぞれ、第１および第２のホルダ、もしくは第１および第２のプレート）とを含む。したがって、ベースプレートは、シャフト１５８に取り付けられ、かつ例えば把持可能ハンドルであるハンドル１３８に取り外し可能に取り付けられる。ベースプレート１４６は、埋め込み可能デバイスを所定位置に配置し保持するのを助け、さらに、埋め込み可能デバイスが滑らないようにする、側壁１７４、レールまたはガイドを有することができる。同様に、カバープレート１４２は、カバープレート、ディプロイヤおよびベースプレートの互いに対する相対運動を助けるレールまたはガイド１７０を有することができる。組み付けられるとき、カバープレート１４２とベースプレート１４６は、一緒になって、埋め込み可能デバイス２００を保持するホルダを形成する。遠位端は、ホルダのカバープレート１４２とベースプレート１４６との間で移動することができるディプロイヤプレート１４４をさらに含む。カバープレート１４２とディプロイヤプレート１４４は、組み付けられ、シャフト１５８の軸に沿った上位溝があるロッド形シャフト１５８からなるベースシャフト１３０によってベースプレート１４６に取り外し可能に取り付けられるまたは連結される。カバープレート１４２は、ベースプレート１４６の内壁に沿った座部、チャネルまたは溝によって、ベースプレート１４６に取り外し可能に取り付けられるまたは連結され得る。ディプロイヤプレート１４４は、ディプロイヤシャフト１５２に連結されるまたは取り付けられる。ディプロイヤシャフト１５２は、その直径がベースホルダプレートシャフト１５８よりも小さく、したがってベースシャフト１５８の溝または切欠きに挿入可能であり、したがって、ベースシャフト１５８に沿って軸方向に動くことができる、または、具体的には、ベースシャフト１５８の上部もしくは上位部分に沿って動くことができる。
【００５９】
ディプロイヤプレート１４４およびカバープレート１４２は、さらに、カバープレート１４２およびディプロイヤシャフト１５２上の制御要素１４０、１４８をそれぞれ含む、またはそれらにそれぞれ取り付けられる制御要素１４０、１４８を含む。カバープレート１４２の制御要素１４８（第１の制御要素、カバープレート制御要素またはカバー制御要素とも呼ばれる）は、ディプロイヤ制御要素１４０（第２の制御要素、ディプロイヤプレート制御要素またはディプロイヤ制御要素とも呼ばれる）の遠位に取り付けられる。ディプロイヤプレート１４４、ディプロイヤシャフト１５８、およびディプロイヤ制御要素１４０は、集合的に、ディプロイヤ機構またはディプロイヤ装置と称される。ディプロイヤプレートは、やはりまた、様々なタイプの埋め込み可能デバイスに対応するように、例えば遠位端の方に向かって変更または最適化されてもよい。例えば、図１３Ｂは、ディプロイヤプレートを有するデバイスの分解図であり、遠位端１６０が埋め込み可能デバイスの縫合孔または耳部２０４の形状に類似している。
【００６０】
これらの部分の相互連結性は、図１３Ｉに最も良く示されている。図１３Ｉには、どのようにディプロイヤシャフト１５２がベースシャフト１５８の溝内に置かれ、それによって制御要素１４０、１４８が両方の周りを包み、ディプロイヤシャフト１５２がベースシャフトの溝から出ないようにされるかが示されている。カバープレート１４２およびディプロイヤプレート１４４、具体的にはカバー制御要素１４８およびディプロイヤ制御要素１４０は、ベースプレート１４６ロッド１５８内をねじ式に動くことができる、またはその内部をラチェット式に動くことができる。
【００６１】
制御要素によって、ベースプレート１４６に対して、カバープレート１４２およびディプロイヤプレート１４４が独立して軸方向に動くことが可能になる。制御要素１４０、１４８は、さらに、ロックタブ、親指動作可能ホイール、丸みが付いた戻り止め（例えば、ツイスト）によるスイッチもしくはスナップもしくはアクチュエータ、追加の力、または、その諸部分が使用可能であり当業者に既知の追加の部分および同様のものによってもたらされてもよい。例えば、図１３Ｃ〜図１３Ｅに示されるように、使用者はデバイスケース１のラッチシステムを外し（スナップを開け）、カバープレート制御要素１４８を（例えば、親指制御で）押して近位（すなわち後ろ）にすることによって、ベースプレート１４６を埋め込み可能デバイス２００の下に挿入し、埋め込み可能デバイスの２００を覆い、保持する。カバープレート制御要素１４８はディプロイヤプレート制御要素１４０の遠位に取り付けられているので、カバープレート制御要素１４８がハンドルすなわち把持可能ハンドル１３８の方に向かって戻されると、やはりまた同様にディプロイヤプレート１４４も戻る。ただし、埋め込み可能デバイス２００を全体的に覆うには、埋め込み可能デバイス２００を覆うようにカバープレート１４２を遠位（前方）に動かしてもよく、その間、ディプロイヤプレート１４４およびディプロイヤシャフト１５２は動かされない、すなわち所定位置に保たれている。例えば図１３Ｄを参照すると、２つの制御要素１４０、１４８は互いに並んで、すなわち直接隣り合っており、一方、図１３Ｅでは、それらは、並んでおらず、離されており、好ましくは、カバープレート１４２とベースプレート１４６および埋め込み可能デバイス２００の長さと概ね同じ距離だけ離されている。
【００６２】
本明細書に例示されるようなディプロイヤ１３０は、記載の埋め込み可能デバイス２００との使用について記載されており、半透過性の二次元および非二次元の埋め込みデバイスを含む他の二次元および非二次元（例えば三次元）の埋め込み可能デバイスについても、（それだけに限らないが）自己拡張埋め込み可能デバイス、大容量二次元および非二次元または三次元のマクロ封入埋め込み可能デバイスを含めて、企図される。他の封入埋め込み可能デバイスは、出願人による、例えば、２０１４年３月７日出願のＰＣＴ／ＵＳ２０１４／０２２１０９、３−ＤＩＭＥＮＳＩＯＮＡＬ  ＬＡＲＧＥ  ＣＡＰＡＣＩＴＹ  ＣＥＬＬ  ＥＮＣＡＰＳＵＬＡＴＩＯＮ  ＤＥＶＩＣＥ、および、２０１１年１２月１２日出願の米国意匠出願第２９／４０８，３６６号、２０１１年１２月１２日出願の米国意匠出願第２９／４０８，３６８号、２０１２年５月３１日出願の米国意匠出願第２９／４２３，３６５号、２０１３年３月１３日出願の米国意匠出願第２９／４４７，９４４号、２０１４年３月７日出願の米国意匠出願第２９／４８４，３６３号，米国意匠出願第２９／４８４，３５９号、米国意匠出願第２９／４８４，３６０号、米国意匠出願第２９／４８４，３５７号、米国意匠出願第２９／４８４，３５６号、米国意匠出願第２９／４８４，３５５号、米国意匠出願第２９／４８４，３６２号および米国意匠出願第２９／４８４，３５号、表題３−ＤＩＭＥＮＳＩＯＮＡＬ  ＬＡＲＧＥ  ＣＡＰＡＣＩＴＹ  ＣＥＬＬ  ＥＮＣＡＰＳＵＬＡＴＩＯＮ  ＤＥＶＩＣＥに記載されている。
【００６３】
図１３Ｆ〜図１３Ｈは、上述したようなサイザ１５６による埋め込み可能デバイス２００の埋め込み部位への埋め込みの準備が整った後、埋め込み可能デバイス２００（留置可能埋め込み可能デバイスとも称される）が留置される方法を示している。埋め込み可能デバイス２００を留置するには、使用者が、一方の手でディプロイヤ制御要素１４０を遠位（すなわち前方）に押し、それと同時に、その間にもう一方の手でディプロイヤ１３０全体を近位（すなわち後方）に動かす。それによって、埋め込み可能デバイス２００は、準備済みの埋め込み部位内に留置される。次いで、埋め込み部位の開口部位１５０を閉じることができる。あるいは、ディプロイヤプレート１４４を所定位置で保持し、カバープレート１４２およびベースプレート１４６を引っ張る、すなわち、埋め込み可能デバイス２００および埋め込み可能部位から遠ざけるように動かす。
【００６４】
図示されないが、一実施形態では、ディプロイヤデバイス１３０は、遠位すなわちホルダ端にもしくはその近くに、またはディプロイヤプレート１４４の一部としてもしくはそれに取り付けられる、把持システムをさらに含むことができる。そうした把持システムは、埋め込み可能デバイス２００への取り外し可能な取り付けが可能であり、それによって、ディプロイヤプレート１４４が後退される（近位すなわち後方に動かされる）と、それに従って埋め込み可能デバイス２００がベースプレート１４６上に動くようになる。しかしながら、把持システムは、ディプロイヤ１３０の近位端から、例えば、他の２つの制御要素１４０、１４８について図示されるものと類似のさらなる制御要素もしくはアクチュエータを用いて、またはディプロイヤ制御要素１４０だけで制御されてもよい。この例では、そうした把持システムは、例えばあるタイプのホックを使用して、埋め込み可能デバイス縫合孔またはリング２０４を把持することができる。
【００６５】
サイザ１５６と同様、遠位、ホルダすなわちディプロイヤ端１４２、１４６、１４４は、非二次元幾何形状を有することができ、例えば、遠位、ホルダすなわちディプロイヤ端１４２、１４６、１４４の細かい形状および湾曲は、特定の外科処置、解剖学的部位、およびアクセス経路向けにされるまたはそれに合わせられてよい。サイザ１５６と同様、ディプロイヤハンドル１３８は、非二次元幾何形状を有することができ、例えば、ハンドル部分の細かい形状および湾曲は、特定の外科処置、解剖学的部位、およびアクセス経路に合わせられてよい。ハンドル部分は、（平坦セクションおよび湾曲セクションを含む）異なる半径の湾曲の様々なセクションを有することができる。したがって、特定の用途に応じて、本発明によるディプロイヤ１３０は、外科医が埋め込み可能デバイスを例えば真皮の特定の層、筋肉と真皮の間または他の表面組織層である適用可能な解剖学的領域に配置するのを助けるように、様々に曲げられた人間工学的なハンドル部分を含むことができる。一実施形態では、ロッドまたはシャフト１５８およびハンドル１３８は、深さマーキングまたは関連のマーキングツールを有することができる。
【００６６】
図示の実施形態では、サイザと同様、遠位すなわちホルダ端は、埋め込まれるべき埋め込み可能デバイス２００の大まかな形状をしている。実際の埋め込み可能デバイスのいくつかの細かい態様、例えばそのポートおよび表面の詳細は、ポケット形成部分１５６に再現される必要はなく、実際、そうした詳細を省略することが、製造の簡素化を助け、適切に作製されなった場合に潜在的に組織に損傷を与える恐れがある機能の数を減少させる働きをすることができる。それでもやはり、埋め込み可能デバイス２００のいくつかの機能的特徴は、埋め込み可能デバイスのより良い回収、保持、移送および留置のために、ディプロイヤに組み込まれてよく、例えば、ディプロイヤプレート１４４の最遠位端は、埋め込み可能デバイス２００の近位端の形状に概ね適合することができる。この例では、図１３Ｂに示されるように、ディプロイヤプレート１４４は、埋め込み可能デバイス２００の近位端にある縫合位置合わせ孔またはリング２０４に合うように適合された２つのくびれを有する。他の修正形態は、他のタイプの埋め込み可能デバイスに対応するように作られ得る。さらに、遠位すなわちホルダ端１４２、１４６は、埋め込み可能デバイスの実際の寸法よりも若干大きくてよく、例えば、１０５％、１１０％、１１５％、１２０％、１２５％、または１３０％以上に拡大されてよい。サイザ１５６と同様、ホルダ部分１４２、１４６、１４４は、傷つきやすい組織に損傷を与えないようにするように、例えば、背、腕、腹、横腹、脚などの湾曲に合わせた輪郭にするなど、関連の解剖学的埋め込み部位の輪郭に追従するように形作られ得る。
【００６７】
図１４Ａ〜図１４Ｃは、本発明の別のディプロイヤの実施形態を示している。ディプロイヤは、一般的に、相互連結されたカバープレート１４２とベースプレート１４６を含み、上述の実施形態のような中間ディプロイヤプレート、動作可能制御要素、またはシャフトハンドルがない。その代わりに、カバープレート１４２は、埋め込み可能デバイス２００を見るための開口部または窓１６２を含むことができる。一実施形態では、カバープレート１４２とベースプレート１４６との間の取り付けシステムは、カバープレート１４２の溝１６６に挿入されるベースプレート１４６上のノッチによって取り外し可能に取り付けられる。２つのプレート１４２、１４６の互いに対する動きは、例えば図１４に示されるような浅いリッジ１６４である、カバープレート１４２に対するテクスチャリングシステムまたは把持システム１６４によって達成され得る。ディプロイヤ１３０の制御要素１４０、１４８（例えば、親指により動作可能なスイッチまたはホイール、ロックタブまたは丸みが付けられたデテントによるスナップ）について先に述べた実施形態と類似のさらに他の実施形態、および、デバイスケース１のフィンガーグリップ３６（くびれのあるグリップ１２０、１２２、テクスチャ加工されたグリップ１２４、１２６、１２８、彫刻またはエッチングされたグリップ１２４、およびゴム引きされたまたはテクスチャ加工された粘着性のグリップ１２４、１２８）について記載されたものと類似のさらに他の実施形態が本明細書のカバープレート１４２に用いられまたは適用されてよい。そうした一実施形態における埋め込み可能デバイス２００の送達および留置は、ディプロイヤに依存せず、むしろ、カバープレートは、例えばリッジ１６４上に前方（すなわち遠位）に押されることによって、前方に動かされる。
【００６８】
本発明の一実施形態では、ディプロイヤ１３０は、遠位端に任意の数のホルダシステムを備えることができる。というのも、ホルダプレートは、埋め込み可能デバイスを移送し留置する同じ概念の摺動可能システムを依然として保ちつつ、埋め込み可能デバイスの形状および設計に合わせて修正されるまたはそれに従って適合されるからである。
【００６９】
本発明の一実施形態では、ディプロイヤ１３０は、市販されているまたは現在ある埋め込み可能または埋め込み可能でないデバイスに取り外し可能に取り付けられるまたは連結可能であり、その場合、ここに記載されるようなディプロイヤの名目上の修正しか必要ない。
【００７０】
本発明の一実施形態では、制御要素は、他の構成をとることができ、例示されるような親指すなわち指により活動化される要素である必要はなく、例えば、親指動作可能ホイールまたはスイッチであってよい。
【００７１】
本発明の一実施形態では、制御要素は、ディプロイヤの長さまたは軸に沿った様々な異なる位置においてロックすることができ、そうしたロック位置は、埋め込み可能デバイスに応じて決められ得る。
【００７２】
（デバイスケース、サイザおよび／またはディプロイヤの製造）
本明細書に記載されるようなデバイスケース、外科用サイザ、マーキングツールおよびディプロイヤは、当業者に既知の、射出成形、機械加工、ステレオリソグラフィ、または他の３Ｄ製造（例えば、３Ｄ印刷）方法を用いて作製され得る。これらの器具の作製は、その所期の用途および使用に適合されてよい。例えば、繰り返し使用されることを意図したサイザ、マーカ、または留置ツールは、オートクレーブに適合する材料（すなわち、ツールを滅菌するのにオートクレーブ内で使用される高圧高温の蒸気に耐える材料）であって、例えば、金属（例えば、ステンレス鋼、金、プラチナ、チタン、ニオブ、ニッケル、ニッケルチタン、コバルト−クロム合金、モリブデンもしくはモリブデン合金、もしくはニチノール（チタン−ニッケル合金）などの合金、もしくは類似の特性のアルミナセラミック）、またはいくつかの生体適合性ポリマー材料（例えば、ポリカーボネート、アクリロニトリルブタジエンスチレン（ＡＢＳ）、高密度ポリエチレン（ＨＤＰＥ）、ポリスチレン、ポリエーテルエーテルケトン（ＰＥＥＫ）、ポリプロピレン、ウレタン、テフロン（登録商標）、ポリエチレン、ポリメチルメタクリレート、いくつかのエポキシ類、シリコーンもしくはパリレン、および上述したような他のポリエステル類）である材料から製造され得る。その一方で、単回使用を意図する器具は、使い捨てのポリマー材料、好ましくは、器具が２回以上使用されないことを確実にするように、オートクレーブでの処理の間に分解するもの（例えば、カプロラクトン、乳酸、グリコール酸、アクリル、ポリカーボネートまたはアクリロニトリルブタジエンスチレン）から製造され得る。
【００７３】
デバイスケース、外科用サイザ、マーキングツールおよびディプロイヤの外面は、埋め込みの間に接触する周りの組織に損傷を与えないようにするために、非粘着性かつ／または平滑縁に仕上げ加工されることが好ましい。いくつかの実施形態では、器具は、滑らかな面の最適化のために、パリレン（登録商標）または類似の疎水性材料で表面コーティングされる。表面コーティングは、金属ツールおよび使い捨てプラスチックツールの両方に適用され得る。例えば、器具は、ポリマー（例えば、ポリカーボネート、ＡＢＳ、ＨＤＰＥ、ポリスチレンまたはポリプロピレン）が射出成形され、次いでパリレン（登録商標）Ｃでコーティングされ得る。さらに、器具の下面は、表面をさらに最適化するように、シリコーンまたは当業者がよく使用する他の材料に浸され得る。コーティング処置の間、シャフト、ハンドルまたはマーキング部分の一部分にある溝、孔またはくびれは、器具の保持に使用され得、したがって、従来のコーティング手順でコーティングされない表面領域が最小限に抑えられる。
【００７４】
本明細書には本発明の様々な態様が記載される。ただし、詳細には記載されないが言及されるさらに他のものは、出願人の２００２年８月６日出願の米国特許出願第１０／４８６，４０８号、表題ＭＥＴＨＯＤＳ  ＦＯＲ  ＣＵＬＴＵＲＥ  ＯＦ  ＨＥＳＣ  ＯＮ  ＦＥＥＤＥＲ  ＣＥＬＬＳ、２００４年１２月２３日出願の米国特許出願第１１／０２１，６１８号、表題ＤＥＦＩＮＩＴＩＶＥ  ＥＮＤＯＤＥＲＭ、２００５年４月２６日出願の米国特許出願第１１／１１５，８６８号、表題ＰＤＸ１  ＥＸＰＲＥＳＳＩＮＧ  ＥＮＤＯＤＥＲＭ、２００５年６月２３日出願の米国特許出願第１１／１６５，３０５号、表題ＭＥＴＨＯＤＳ  ＦＯＲ  ＩＤＥＮＴＩＦＹＩＮＧ  ＦＡＣＴＯＲＳ  ＦＯＲ  ＤＩＦＦＥＲＥＮＴＩＡＴＩＮＧ  ＤＥＦＩＮＩＴＩＶＥ  ＥＮＤＯＤＥＲＭ、２００５年８月１５日出願の米国特許出願第１１／５７３，６６２号、表題ＭＥＴＨＯＤＳ  ＦＯＲ  ＩＮＣＲＥＡＳＩＮＧ  ＤＥＦＩＮＩＴＩＶＥ  ＥＮＤＯＤＥＲＭ  ＤＩＦＦＥＲＥＮＴＩＡＴＩＯＮ  ＯＦ  ＰＬＵＲＩＰＯＴＥＮＴ  ＨＵＭＡＮ  ＥＭＢＲＹＯＮＩＣ  ＳＴＥＭ  ＣＥＬＬＳ  ＷＩＴＨ  ＰＩ−３  ＫＩＮＡＳＥ  ＩＮＨＩＢＩＴＯＲＳ、２００５年１０月２７日出願の米国特許出願第１２／７２９，０８４号、表題ＰＤＸ１−ＥＸＰＲＥＳＳＩＮＧ  ＤＯＲＳＡＬ  ＡＮＤ  ＶＥＮＴＲＡＬ  ＦＯＲＥＧＵＴ  ＥＮＤＯＤＥＲＭ、２００５年１１月１４日出願の米国特許出願第１２／０９３，５９０号、表題ＭＡＲＫＥＲＳ  ＯＦ  ＤＥＦＩＮＩＴＩＶＥ  ＥＮＤＯＤＥＲＭ、２００６年６月２０日出願の米国特許出願第１１／９９３，３９９号、表題ＥＭＢＲＹＯＮＩＣ  ＳＴＥＭ  ＣＥＬＬ  ＣＵＬＴＵＲＥ  ＣＯＭＰＯＳＩＴＩＯＮＳ  ＡＮＤ  ＭＥＴＨＯＤＳ  ＯＦ  ＵＳＥ  ＴＨＥＲＥＯＦ、２００６年１０月２７日出願の米国特許出願第１１／５８８，６９３号、表題ＰＤＸ１−ＥＸＰＲＥＳＳＩＮＧ  ＤＯＲＳＡＬ  ＡＮＤ  ＶＥＮＴＲＡＬ  ＦＯＲＥＧＵＴ  ＥＮＤＯＤＥＲＭ、２００７年３月２日出願の米国特許出願第１１／６８１，６８７号、表題ＥＮＤＯＣＲＩＮＥ  ＰＲＯＧＥＮＩＴＯＲ／ＰＲＥＣＵＲＳＯＲ  ＣＥＬＬＳ，ＰＡＮＣＲＥＡＴＩＣ  ＨＯＲＭＯＮＥ−ＥＸＰＲＥＳＳＩＮＧ  ＣＥＬＬＳ  ＡＮＤ  ＭＥＴＨＯＤＳ  ＯＦ  ＰＲＯＤＵＣＴＩＯＮ、２００７年５月２４日出願の米国特許出願第１１／８０７，２２３号、表題ＭＥＴＨＯＤＳ  ＦＯＲ  ＣＵＬＴＵＲＥ  ＡＮＤ  ＰＲＯＤＵＣＴＩＯＮ  ＯＦ  ＳＩＮＧＬＥ  ＣＥＬＬ  ＰＯＰＵＬＡＴＩＯＮＳ  ＯＦ  ＨＥＳＣ、２００７年７月５日出願の米国特許出願第１１／７７３，９４４号、表題ＭＥＴＨＯＤＳ  ＯＦ  ＰＲＯＤＵＣＩＮＧ  ＰＡＮＣＲＥＡＴＩＣ  ＨＯＲＭＯＮＥＳ、２００７年９月２４日出願の米国特許出願第１１／８６０，４９４号、表題ＭＥＴＨＯＤＳ  ＦＯＲ  ＩＮＣＲＥＡＳＩＮＧ  ＤＥＦＩＮＩＴＩＶＥ  ＥＮＤＯＤＥＲＭ  ＰＲＯＤＵＣＴＩＯＮ、２００８年４月８日出願の米国特許出願第１２／０９９，７５９号、表題ＭＥＴＨＯＤＳ  ＯＦ  ＰＲＯＤＵＣＩＮＧ  ＰＡＮＣＲＥＡＴＩＣ  ＨＯＲＭＯＮＥＳ、２００８年４月２１日出願の米国特許出願第１２／１０７，０２０号、表題ＭＥＴＨＯＤＳ  ＦＯＲ  ＰＵＲＩＦＹＩＮＧ  ＥＮＤＯＤＥＲＭ  ��ＮＤ  ＰＡＮＣＲＥＡＴＩＣ  ＥＮＤＯＤＥＲＭ  ＣＥＬＬＳ  ＤＥＲＩＶＥＤ  ＦＯＲＭ  ＨＵＭＡＮ  ＥＭＢＲＹＯＮＩＣ  ＳＴＥＭ  ＣＥＬＬＳ、２００９年１１月１３日出願の米国特許出願第１２／６１８，６５９号、表題ＥＮＣＡＰＳＵＬＡＴＩＯＮ  ＯＦ  ＰＡＮＣＲＥＡＴＩＣ  ＬＩＮＥＡＧＥ  ＣＥＬＬＳ  ＤＥＲＩＶＥＤ  ＦＲＯＭ  ＨＵＭＡＮ  ＰＬＵＲＩＰＯＴＥＮＴ  ＳＴＥＭ  ＣＥＬＬＳ、２０１０年４月２２日出願の米国特許出願第１２／７６５，７１４号および２０１３年２月６日出願の米国特許出願第１３／７６１，０７８号、ともに表題ＣＥＬＬ  ＣＯＭＰＯＳＩＴＩＯＮＳ  ＦＲＯＭ  ＤＥＤＩＦＦＥＲＥＮＴＩＡＴＥＤ  ＲＥＰＲＯＧＲＡＭＭＥＤ  ＣＥＬＬＳ、２００７年８月１３日出願の米国特許出願第１１／８３８，０５４号、表題ＣＯＭＰＯＳＩＴＩＯＮＳ  ＡＮＤ  ＭＥＴＨＯＤＳ  ＵＳＥＦＵＬ  ＦＯＲ  ＣＵＬＴＵＲＩＮＧ  ＤＩＦＦＥＲＥＮＴＩＡＢＬＥ  ＣＥＬＬＳ、２００８年１１月４日出願の米国特許出願第１２／２６４，７６０号、表題ＳＴＥＭ  ＣＥＬＬ  ＡＧＧＲＥＧＡＴＥ  ＳＵＳＰＥＮＳＩＯＮ  ＣＯＭＰＯＳＩＴＩＯＮＳ  ＡＮＤ  ＭＥＴＨＯＤＳ  ＯＦ  ＤＩＦＦＥＲＥＮＴＩＡＴＩＯＮ  ＴＨＥＲＥＯＦ、２０１０年４月２７日出願の米国特許出願第１３／２５９，１５号、表題ＳＭＡＬＬ  ＭＯＬＥＣＵＬＥＳ  ＳＵＰＰＯＲＴＩＮＧ  ＰＬＵＲＩＰＯＴＥＮＴ  ＣＥＬＬ  ＧＲＯＷＴＨ、２０１１年２月２１日出願のＰＣＴ／ＵＳ１１／２５６２８、表題ＬＯＡＤＩＮＧ  ＳＹＳＴＥＭ  ＦＯＲ  ＡＮ  ＥＮＣＡＰＳＵＬＡＴＩＯＮ  ＤＥＶＩＣＥ、２０１０年１２月２８日出願の１３／９９２，９３１、表題ＡＧＥＮＴＳ  ＡＮＤ  ＭＥＴＨＯＤＳ  ＦＯＲ  ＩＮＨＩＢＩＴＩＮＧ  ＰＬＵＲＩＰＯＴＥＮＴ  ＳＴＥＭ  ＣＥＬＬＳ、２０１１年１２月１２日出願の米国意匠出願第２９／４０８，３６６号、２０１１年１２月１２日出願の米国意匠出願第２９／４０８，３６８号、２０１２年５月３１日出願の米国意匠出願第２９／４２３，３６５号、２０１３年３月１３日出願の米国意匠出願第２９／４４７，９４４号、２０１３年３月７日出願の米国仮特許出願第６１／７７４，４４３号、表題ＳＥＭＩＰＥＲＭＥＡＢＬＥ  ＭＡＣＲＯ  ＩＭＰＬＡＮＴＡＢＬＥ  ＣＥＬＬＵＬＡＲ  ＥＮＣＡＰＳＵＬＡＴＩＯＮ  ＤＥＶＩＣＥＳ、２０１３年３月８日出願の米国仮特許出願第６１／７７５，４８０号、表題ＣＲＹＯＰＲＥＳＥＲＶＡＴＩＯＮ，  ＨＩＢＥＲＮＡＴＩＯＮ  ＡＮＤ  ＲＯＯＭ  ＴＥＭＰＥＲＡＴＵＲＥ  ＳＴＯＲＡＧＥ  ＯＦ  ＥＮＣＡＰＳＵＬＡＴＥＤ  ＰＡＮＣＲＥＡＴＩＣ  ＥＮＤＯＤＥＲＭ  ＣＥＬＬ  ＡＧＧＲＥＧＡＴＥＳ、２０１３年１２月１３日出願の米国仮特許出願第１４／１０６，３３０号、表題ＩＮ  ＶＩＴＲＯ  ＤＩＦＦＥＲＥＮＴＩＡＴＩＯＮ  ＯＦ  ＰＬＵＲＩＰＯＴＥＮＴ  ＳＴＥＭ  ＣＥＬＬＳ  ＴＯ  ＰＡＮＣＲＥＡＴＩＣ  ＥＮＤＯＤＥＲＭ  ＣＥＬＬＳ（ＰＥＣ）  ＡＮＤ  ＥＮＤＯＣＲＩＮＥ  ＣＥＬＬＳ、２０１４年３月７日出願のＰＣＴ／ＵＳ２０１４／０２２０６５、表題ＣＲＹＯＰＲＥＳＥＲＶＡＴＩＯＮ，  ＨＩＢＥＲＮＡＴＩＯＮ  ＡＮＤ  ＲＯＯＭ  ＴＥＭＰＥＲＡＴＵＲＥ  ＳＴＯＲＡＧＥ  ＯＦ  ＥＮＣＡＰＳＵＬＡＴＥＤ  ＰＡＮＣＲＥＡＴＩＣ  ＥＮＤＯＤＥＲＭ  ＣＥＬＬ、２０１４年３月７日出願のＰＣＴ／ＵＳ２０１４／０２２１０９、ＳＥＭＩＰＥＲＭＥＡＢＬＥ  ＭＡＣＲＯ  ＩＭＰＬＡＮＴＡＢＬＥ  ＣＥＬＬＵＬＡＲ  ＥＮＣＡＰＳＵＬＡＴＩＯＮ  ＤＥＶＩＣＥＳ、２０１４年３月７日出願の１４／２０１，６３０、および、２０１４年３月１３日出願のＰＣＴ／ＵＳ２０１４／０２６５２９、ＩＮ  ＶＩＴＲＯ  ＤＩＦＦＥＲＥＮＴＩＡＴＩＯＮ  ＯＦ  ＰＬＵＲＩＰＯＴＥＮＴ  ＳＴＥＭ  ＣＥＬＬＳ  ＴＯ  ＰＡＮＣＲＥＡＴＩＣ  ＥＮＤＯＤＥＲＭ  ＣＥＬＬＳ（ＰＥＣ）ＡＮＤ  ＥＮＤＯＣＲＩＮＥ  ＣＥＬＬＳにおいて見出すことができ、これらの内容は、参照によりそれらの全体が本明細書に組み込まれる。
【００７５】
本明細書で用いられる用語および表現は、説明のための用語および表現として使用されるのであり、限定のためではなく、そのような用語および表現の使用において、図示され記載される特徴またはその部分の任意の均等物の排除を意図するものではない。さらに、本発明のいくつかの実施形態が記載されているが、当業者には、本発明の趣旨および範囲を逸脱することなく、本明細書に開示される概念を組み込んだ他の実施形態が使用され得ることが明らかであろう。具体的には、本発明の実施形態は、機能全てを含む必要はなく、さらに本明細書に記載の利点の全てを含む必要もない。むしろ、それらは、機能および利点の任意のサブセットまたは組合せを含むことができる。したがって、記載の実施形態は、全ての点で、例示に過ぎず制限的ではないとみなされるべきである。
【００７６】
実施形態
【００７７】
本明細書に開示の実施形態は以下を含む。
【００７８】
デバイスケース
【００７９】
実施形態１：埋め込み可能な二次元形状のデバイスを保持するためのケースであって、取り外し可能に連結されるカバー本体とベース本体とを含み、カバー本体は、第１のラッチ部分を有し、ベース本体は、ケースが閉位置にあるとき、カバー本体をベース本体に固定するように構成される第２のラッチ部分を有し、カバー本体およびベース本体は、固定されると、１つまたは複数の生物活性物質の通過を可能にする少なくとも１つの開口部を有する体積を含む、ケース。
【００８０】
ケースは、埋め込み可能デバイスをさらに含む、実施形態１のケース。
【００８１】
埋め込み可能デバイスは、半透過性のマクロ封入デバイスである、実施形態１のケース。
【００８２】
埋め込み可能デバイスは、治療薬を中にさらに含む、実施形態１のケース。
【００８３】
治療薬は、生細胞である、実施形態１のケース。
【００８４】
生細胞は、ｉｎ  ｖｉｔｒｏにおいて幹細胞とは区別される始原細胞である、実施形態１のケース。
【００８５】
始原細胞は、内胚葉系細胞である、実施形態１のケース。
【００８６】
始原細胞は、膵臓始原細胞である、実施形態１のケース。
【００８７】
始原細胞は、ＰＤＸ１−陽性膵臓内胚葉細胞である、実施形態１のケース。
【００８８】
生細胞は、内分泌細胞である、実施形態１のケース。
【００８９】
生細胞は、未熟β細胞である、実施形態１のケース。
【００９０】
幹細胞は、ヒト胚幹細胞、胎児幹細胞、臍帯血幹細胞、人工誘導多能性幹細胞、再プログラム化細胞、単為生殖胚細胞、生殖胚細胞、および、間葉または造血幹細胞からなる群から選択される、実施形態１のケース。
【００９１】
カバー本体およびベース本体は、１つまたは複数の生物活性物質が通過することができる少なくとも１つまたは複数の開口部を有するように構成される、実施形態１のケース。
【００９２】
カバー本体およびベース本体は、２つの開口部をそれぞれ有する、実施形態１のケース。
【００９３】
カバー本体およびベース本体は、４つの開口部をそれぞれ有する、実施形態１のケース。
【００９４】
カバー本体およびベース本体は、６つの開口部をそれぞれ有する、実施形態１のケース。
【００９５】
カバー本体およびベース本体は、８つの開口部をそれぞれ有する、実施形態１のケース。
【００９６】
フィンガーグリップをさらに含む、実施形態１のケース。
【００９７】
密閉または取り付けシステムを含む、実施形態１のケース。
【００９８】
取り付けシステムは、ヒンジ、ラッチおよびスナップからなる群から選択される、実施形態１のケース。
【００９９】
単独で、またはケース内の埋め込み可能デバイスと一緒に滅菌可能である、実施形態１のケース。
【０１００】
埋め込み可能デバイスポートシーリング領域をさらに含む、実施形態１のケース。
【０１０１】
生体適合性ポリマー材料または金属を含む、実施形態１のケース。
【０１０２】
金属は、ステンレス鋼、金、プラチナ、チタン、ニオブ、ニッケル、ニッケルチタン、コバルト−クロム合金、モリブデンもしくはモリブデン合金、または例えばニチノールもしくはアルミナセラミックなどの合金からなる群から選択される、実施形態１のケース。
【０１０３】
生体適合性ポリマー材料は、ポリカーボネート、アクリロニトリルブタジエンスチレン（ＡＢＳ）、高密度ポリエチレン（ＨＤＰＥ）、ポリスチレン、ポリエーテルエーテルケトン（ＰＥＥＫ）、ポリプロピレン、ウレタン、テフロン（登録商標）、ポリエチレン、ポリメチルメタクリレート、エポキシ、シリコーンまたはパリレンからなる群から選択される、実施形態１のケース。
【０１０４】
生体適合性ポリマー材料または金属は、オートクレーブに耐えることができる、実施形態１のケース。
【０１０５】
ポリカーボネートである、実施形態１のケース。
【０１０６】
フィンガーグリップと、ポートシーリング領域とをさらに含む、実施形態１のケース。
【０１０７】
実施形態２：カバー本体と、ベース本体とを含むケースであって、カバー本体およびベース本体は、閉状態において互いに固定されるように構成され、また、埋め込み可能デバイスがカバー本体とベース本体との間に配置され得るように閉状態でエンクロージャを画成するように構成され、さらに、１つまたは複数の生物活性物質の通過を可能にする少なくとも１つの窓をそれぞれ有する、ケース。
【０１０８】
実施形態３：埋め込み可能デバイスの品質管理試験方法であって、デバイスケース内に配置された埋め込み可能デバイスにおいて少なくとも１つの品質管理試験を実施することと、少なくとも１つの品質指標値を用いて少なくとも１つの試験パラメータを測定することと、前記少なくとも１つの品質指標値から埋め込み可能デバイスの品質を判定することとを含む、方法。
【０１０９】
品質管理試験は、乾式目視検査、湿式目視検査および圧減衰試験である、実施形態３の方法。
【０１１０】
品質管理試験は、乾式目視検査である、実施形態３の方法。
【０１１１】
品質管理試験は、湿式目視検査である、実施形態３の方法。
【０１１２】
品質管理試験は、圧減衰試験である、実施形態３の方法。
【０１１３】
埋め込み可能デバイスは、圧減衰値が、少なくとも２０秒間以上、約０．００８〜約０．０１０ｐｓｉであるとき、使用に適する、実施形態３の方法。
【０１１４】
埋め込み可能デバイスは、圧減衰値が、少なくとも２０秒間以上、約０．００８〜約０．０１０ｐｓｉであるとき、使用に適する、実施形態３の方法。
【０１１５】
埋め込み可能デバイスは、圧減衰値が、少なくとも３０秒間以上、約０．００８〜約０．０１０ｐｓｉであるとき、使用に適する、実施形態３の方法。
【０１１６】
埋め込み可能デバイスは、圧減衰値が、少なくとも４０秒間以上、約０．００８〜約０．０１０ｐｓｉであるとき、使用に適する、実施形態３の方法。
【０１１７】
埋め込み可能デバイスは、圧減衰値が、少なくとも５０秒間以上、約０．００８〜約０．０１０ｐｓｉであるとき、使用に適する、実施形態３の方法。
【０１１８】
埋め込み可能デバイスは、圧減衰値が、少なくとも６０秒間以上、約０．００８〜約０．０１０ｐｓｉであるとき、使用に適する、実施形態３の方法。
【０１１９】
埋め込み可能デバイスは、圧減衰値が、少なくとも８０秒間以上、約０．００８〜約０．０１０ｐｓｉであるとき、使用に適する、実施形態３の方法。
【０１２０】
埋め込み可能デバイスは、圧減衰値が、少なくとも１００秒間以上、約０．００８〜約０．０１０ｐｓｉであるとき、使用に適する、実施形態３の方法。
【０１２１】
デバイス充填パウチアセンブリ
【０１２２】
実施形態４：少なくとも１つのポートを含む埋め込み可能デバイスを保持するパウチを含むアセンブリであって、パウチは、入口システムと、出口システムとを含み、入口システムは、パウチ内に内方に延在し埋め込み可能デバイスポートに取り外し可能に連結され、細胞リザーバに取り外し可能に連結され、出口システムは、パウチの外側に延在する、アセンブリ。
【０１２３】
パウチは、剥離可能な第１および第２のシートをさらに含む、実施形態４のアセンブリ。
【０１２４】
パウチの剥離可能な第１のシートは、剥離可能な透明窓をさらに含む、実施形態４のアセンブリ。
【０１２５】
滅菌可能材料からなる、実施形態４のアセンブリ。
【０１２６】
滅菌可能材料は、ポリオレフィンを含む、実施形態４のアセンブリ。
【０１２７】
ポリオレフィンは、ポリプロピレン、ポリエチレン、エチレンコポリマーおよびイオノマー樹脂からなる群から選択される、実施形態４のアセンブリ。
【０１２８】
パウチは、滅菌可能材料からなる、実施形態４のアセンブリ。
【０１２９】
パウチは、熱、化学物質および／または放射線滅菌によって滅菌される、実施形態４のアセンブリ。
【０１３０】
パウチは、蒸気滅菌によって滅菌される、実施形態４のアセンブリ。
【０１３１】
パウチは、酸化エチレンによって滅菌される、実施形態４のアセンブリ。
【０１３２】
パウチは、電離放射線滅菌によって滅菌される、実施形態４のアセンブリ。
【０１３３】
実施形態５：パウチ内において生細胞を埋め込み可能デバイスに充填する方法であって、パウチは、剥離可能な第１および第２のシートと、入口システムと、出口システムとを含み、埋め込み可能デバイスケースは、カバー本体と、ベース本体と、ポートシーリング領域とを含み、埋め込み可能デバイスケースのカバー本体とベース本体との間にある埋め込み可能デバイスは、少なくとも１つのポートを含み、ポートは、パウチの入口システムに連結され、さらに細胞リザーバに連結され、細胞リザーバは、生細胞を埋め込み可能デバイスに送達することができ、それによって埋め込み可能デバイスは、パウチ内において細胞が充填される、方法。
【０１３４】
パウチ、埋め込み可能デバイスケースおよび埋め込み可能デバイスは、滅菌可能である、実施形態５の方法。
【０１３５】
無菌状態のもとで実施される、実施形態５の方法。
【０１３６】
パウチは、１つまたは複数の生物活性物質を有する細胞栄養媒体を含む、実施形態５の方法。
【０１３７】
栄養媒体は、生細胞を維持するのに適切な任意の細胞培地である、実施形態５の方法。
【０１３８】
生細胞は、膵臓始原細胞である、実施形態５の方法。
【０１３９】
生細胞は、ｉｎ  ｖｉｔｒｏにおいて幹細胞とは区別される始原細胞である、実施形態５の方法。
【０１４０】
始原細胞は、内胚葉系細胞である、実施形態５の方法。
【０１４１】
始原細胞は、膵臓始原細胞である、実施形態５の方法。
【０１４２】
膵臓始原細胞は、ＰＤＸ１−陽性膵臓内胚葉細胞である、実施形態５の方法。
【０１４３】
生細胞は、内分泌細胞である、実施形態５の方法。
【０１４４】
生細胞は、未熟β細胞である、実施形態５の方法。
【０１４５】
埋め込み可能デバイスは、１つまたは複数の生物活性物質の通過を可能にすることができる、半透過性のマクロ封入デバイスである、実施形態５の方法。
【０１４６】
出口ポート手段は、余剰栄養媒体を空にするように開けられる、実施形態５の方法。
【０１４７】
外科用サイザ
【０１４８】
実施形態６：ポケット形成部分と、ハンドル部分とを含む外科用サイザであって、ポケット形成部分は、埋め込み部位を形成するための前縁を含む、外科用サイザ。
【０１４９】
埋め込み部位は、埋め込み可能デバイス向けである、実施形態６の外科用サイザ。
【０１５０】
ポケット形成部分は、埋め込み可能デバイスの寸法の１００％よりも大きい、実施形態６の外科用サイザ。
【０１５１】
ポケット形成部分は、埋め込み可能デバイスの寸法の約１０５％である、実施形態６の外科用サイザ。
【０１５２】
ポケット形成部分は、埋め込み可能デバイスの寸法の約１１０％である、実施形態６の外科用サイザ。
【０１５３】
ポケット形成部分は、埋め込み可能デバイスの寸法の約１２０％である、実施形態６の外科用サイザ。
【０１５４】
ポケット形成部分は、埋め込み可能デバイスの寸法の約１２５％である、実施形態６の外科用サイザ。
【０１５５】
ポケット形成部分は、埋め込み可能デバイスの寸法の約１３０％である、実施形態６の外科用サイザ。
【０１５６】
生体適合性ポリマー材料または金属からなる、実施形態６の外科用サイザ。
【０１５７】
金属は、ステンレス鋼、金、プラチナ、チタン、ニオブ、ニッケル、ニッケルチタン、コバルト−クロム合金、モリブデンもしくはモリブデン合金、またはニチノールもしくはアルミナセラミックなどの合金からなる群から選択される、実施形態６の外科用サイザ。
【０１５８】
ポリマー材料は、ポリカーボネート、アクリロニトリルブタジエンスチレン（ＡＢＳ）、高密度ポリエチレン（ＨＤＰＥ）、ポリスチレン、ポリエーテルエーテルケトン（ＰＥＥＫ）、ポリプロピレン、ウレタン、テフロン（登録商標）、ポリエチレン、ポリメチルメタクリレート、エポキシ、シリコーンまたはパリレンからなる群から選択される、実施形態６の外科用サイザ。
【０１５９】
金属は、本質的に、ステンレス鋼、チタン、ニオブ、ニッケルチタンまたは合金からなる、実施形態６の器具。
【０１６０】
金属は、本質的にステンレス鋼からなる、実施形態６の外科用サイザ。
【０１６１】
生体適合性ポリマー材料または金属は、オートクレーブに耐えることができる、実施形態６の外科用サイザ。
【０１６２】
ポケット形成部分は、埋め込み可能デバイスのレプリカを含む、実施形態６の外科用サイザ。
【０１６３】
ポケット形成部分の表面は、体内の解剖学的輪郭を補完する湾曲を有する、実施形態６の外科用サイザ。
【０１６４】
ポケット部分は、二次元である、実施形態６の外科用サイザ。
【０１６５】
ポケット部分は、非二次元である、実施形態６の外科用サイザ。
【０１６６】
ハンドル部分は、二次元である、実施形態６の器具。
【０１６７】
ハンドル部分は、非二次元である、実施形態６の外科用サイザ。
【０１６８】
ハンドル部分は、深さマーキングを含む、実施形態６の外科用サイザ。
【０１６９】
組織にマークをつけるように構成されるマーキングツールをさらに含む、実施形態６の外科用サイザ。
【０１７０】
器具は、一部材である、実施形態６の外科用サイザ。
【０１７１】
器具は、ポケット形成を含み、ハンドル部分は、取り外し可能に連結される、実施形態６の外科用サイザ。
【０１７２】
ディプロイヤ
【０１７３】
実施形態７：埋め込み可能デバイスを保持し留置する装置であって、近位端と、遠位端とを含み、遠位端は、デバイスを保持するためのカバープレートおよびベースプレートを含むホルダと、遠位端からの埋め込み可能デバイスの留置のための可動ディプロイヤプレートとを含む、装置。
【０１７４】
カバープレートおよびベースプレートは、埋め込み可能デバイスを収容する、実施形態７の装置。
【０１７５】
ベースプレートは、シャフトと、ハンドルとをさらに含み、シャフトは、カバープレートおよびディプロイヤプレートに取り外し可能に連結される、実施形態７の装置。
【０１７６】
カバープレートおよびディプロイヤプレートは、シャフトに沿ってカバープレートおよびディプロイヤプレートを軸方向に動かすことができる制御要素を含む、実施形態７の装置。
【０１７７】
シャフトおよびハンドルは、深さマーキングを含む、実施形態７の装置。
【０１７８】
埋め込み可能デバイスは、ディプロイヤプレートをベースプレートおよびカバープレートに対して軸方向に遠位に動かすことによって留置され、それによって埋め込み可能デバイスが留置される、実施形態７の装置。
【０１７９】
制御要素は、親指動作可能ホイールまたはスイッチである、実施形態７の装置。
【０１８０】
第１および第２の制御要素は、アクチュエータである、実施形態７の装置。
【０１８１】
埋め込み可能デバイスは、二次元デバイスである、実施形態７の装置。
【０１８２】
埋め込み可能デバイスは、自己拡張デバイスである、実施形態７の装置。
【０１８３】
埋め込み可能デバイスは、半透過性のマクロ封入デバイスである、実施形態７の装置。
【０１８４】
埋め込み可能デバイスは、治療薬を中に含む、実施形態７の装置。
【０１８５】
治療薬は、生細胞である、実施形態７の装置。
【０１８６】
生細胞は、ｉｎ  ｖｉｔｒｏにおいて幹細胞とは区別される始原細胞である、実施形態７の装置。
【０１８７】
幹細胞は、ヒト胚幹細胞、胎児幹細胞、臍帯血幹細胞、人工誘導多能性幹細胞、再プログラム化細胞、単為生殖胚細胞、生殖胚細胞、および、間葉または造血幹細胞からなる群から選択される、実施形態７の装置。
【０１８８】
始原細胞は、内胚葉系細胞である、実施形態７の装置。
【０１８９】
始原細胞は、膵臓始原細胞である、実施形態７の装置。
【０１９０】
始原細胞は、ＰＤＸ１−陽性膵臓内胚葉細胞である、実施形態７の装置。
【０１９１】
始原細胞は、内分泌細胞である、実施形態７の装置。
【０１９２】
生細胞は、未熟β細胞である、実施形態７の装置。
【０１９３】
実施形態８：埋め込み可能デバイスを留置するためのアセンブリであって、第１のホルダと、ロッドまたはシャフトおよびハンドルを含む第２のホルダと、前記第１のホルダと第２のホルダとの間にあるディプロイヤ機構とを含み、ディプロイヤ機構は、埋め込み可能デバイスの留置を達成するように適合され、第１のホルダおよびディプロイヤ機構は、第２のホルダロッドに取り外し可能に連結されロッドの長手軸に沿って動くことができ、第１および第２のホルダに対するディプロイヤ機構の動きによって、埋め込み可能デバイスが送達または留置される、アセンブリ。
【０１９４】
第１のホルダは、第１のホルダを軸方向に動かすための第１の制御要素を含む、実施形態８のアセンブリ。
【０１９５】
ディプロイヤは、遠位端と、近位端とを含み、遠位端は、第１のホルダと第２のホルダとの間にあり、近位端は、ロッドに相互連結される、実施形態８のアセンブリ。
【０１９６】
ディプロイヤ機構は、ディプロイヤを軸方向に動かすための第２の制御要素をさらに含む、実施形態８のアセンブリ。
【０１９７】
ディプロイヤ機構の第２の制御要素は、ロッド内でねじ式に動くことができる、実施形態８のアセンブリ。
【０１９８】
ディプロイヤ機構の第２の制御要素は、ロッド内でラチェット式に動くことができる、実施形態８のアセンブリ。
【０１９９】
第１および第２の制御要素は、親指動作可能ホイールまたはスイッチである、実施形態８のアセンブリ。
【０２００】
第１および第２の制御要素は、アクチュエータである、実施形態８のアセンブリ。
【０２０１】
第１のホルダのロッドおよびハンドルは、深さマーキングを含む、実施形態８のアセンブリ。
【０２０２】
埋め込み可能デバイスは、二次元デバイスである、実施形態８のアセンブリ。
【０２０３】
埋め込み可能デバイスは、自己拡張デバイスである、実施形態８のアセンブリ。
【０２０４】
埋め込み可能デバイスは、半透過性のマクロ封入デバイスである、実施形態８のアセンブリ。
【０２０５】
埋め込み可能デバイスは、治療薬を中に含む、実施形態８のアセンブリ。
【０２０６】
治療薬は、生細胞である、実施形態８のアセンブリ。
【０２０７】
生細胞は、ｉｎ  ｖｉｔｒｏにおいて幹細胞とは区別される始原細胞である、実施形態８のアセンブリ。
【０２０８】
始原細胞は、内胚葉系細胞である、実施形態８のアセンブリ。
【０２０９】
始原細胞は、膵臓始原細胞である、実施形態８のアセンブリ。
【０２１０】
始原細胞は、ＰＤＸ１−陽性膵臓内胚葉細胞である、実施形態８のアセンブリ。
【０２１１】
生細胞は、内分泌細胞である、実施形態８のアセンブリ。
【０２１２】
生細胞は、未熟β細胞である、実施形態８のアセンブリ。
【０２１３】
金属は、ステンレス鋼、金、プラチナ、チタン、ニオブ、ニッケル、ニッケルチタン、コバルト−クロム合金、モリブデンもしくはモリブデン合金、またはニチノールもしくはアルミナセラミックなどの合金からなる群から選択される、実施形態８のアセンブリ。
【０２１４】
ポリマー材料は、ポリカーボネート、アクリロニトリルブタジエンスチレン（ＡＢＳ）、高密度ポリエチレン（ＨＤＰＥ）、ポリスチレン、ポリエーテルエーテルケトン（ＰＥＥＫ）、ポリプロピレン、ウレタン、テフロン（登録商標）、ポリエチレン、ポリメチルメタクリレート、エポキシ、シリコーンまたはパリレンからなる群から選択される、実施形態８のアセンブリ。
【０２１５】
金属は、本質的に、ステンレス鋼、チタン、ニオブ、ニッケルチタンまたは合金からなる、実施形態８のアセンブリ。
【０２１６】
金属は、本質的にステンレス鋼からなる、実施形態８のアセンブリ。
【０２１７】
実施形態９：細胞療法のための埋め込み可能デバイスを留置する方法であって、埋め込み可能デバイス、ならびに第１および第２のプレートおよびディプロイヤプレートを有するホルダを含むアセンブリを解剖学的埋め込み部位に位置決めするステップであって、第２のホルダは、ロッドとハンドルとをさらに含み、ディプロイヤ要素は、ロッドに連結されロッドの軸に沿って動くことができる、ステップと、ロッドならびに第１および第２のホルダに対してディプロイヤ要素を動かすステップであって、それによって解剖学的埋め込み部位に埋め込み可能デバイスが留置されるまたは送達される、ステップとを含む、方法。
【０２１８】
埋め込み可能デバイスは、二次元デバイスである、実施形態９の方法。
【０２１９】
埋め込み可能デバイスは、自己拡張デバイスである、実施形態９の方法。
【０２２０】
埋め込み可能デバイスは、半透過性のマクロ封入デバイスである、実施形態９の方法。
【０２２１】
埋め込み可能デバイスは、治療薬を中に含む、実施形態９の方法。
【０２２２】
治療薬は、生細胞である、実施形態９の方法。
【０２２３】
生細胞は、ｉｎ  ｖｉｔｒｏにおいて幹細胞とは区別される始原細胞である、実施形態９の方法。
【０２２４】
始原細胞は、内胚葉系細胞である、実施形態９の方法。
【０２２５】
始原細胞は、膵臓始原細胞である、実施形態９の方法。
【０２２６】
始原細胞は、ＰＤＸ１−陽性膵臓内胚葉細胞である、実施形態９の方法。
【０２２７】
生細胞は、内分泌細胞である、実施形態９の方法。
【０２２８】
生細胞は、未熟β細胞である、実施形態９の方法。
【図１】
2019115675.tif 000003
【図２】
2019115675.tif 000004
【図３】
2019115675.tif 000005
【図４】
2019115675.tif 000006
【図５】
2019115675.tif 000007
【図６】
2019115675.tif 000008
【図７】
2019115675.tif 000009
【図８】
2019115675.tif 000010
【図９】
2019115675.tif 000011
【図１０】
2019115675.tif 000012
【図１１】
2019115675.tif 000013
【図１２】
2019115675.tif 000014
【図１３−１】
2019115675.tif 000015
【図１３−２】
2019115675.tif 000016
【図１３−３】
2019115675.tif 000017
【図１３−４】
2019115675.tif 000018
【図１４Ａ】
2019115675.tif 000019
【図１４Ｂ】
2019115675.tif 000020
【図１４Ｃ】
2019115675.tif 000021
【手続補正書】
【提出日】平成31年3月22日(2019.3.22)
【手続補正１】
【補正対象書類名】明細書
【補正対象項目名】００３１
【補正方法】変更
【補正の内容】
【００３１】
埋め込み可能デバイス２００の完全性を維持するように、ケース１は、一般的に、図１〜図４に示されるように、ケース１を扱いやすく操作しやすくすることができる、例えばフィンガーグリップ３６である剛直または非剛直なグリップを有する側壁をさらに含み得る。これは、例えば、デバイスの細胞充填プロセスおよび／もしくはデバイスの回収および移送、または取扱者による操作の間、有益である。図１〜図４は、ケース１の各側壁にある５つのフィンガーグリップ３６を示している。ただし、図４は、くびれのあるフィンガーグリップ１２０、１２２、テクスチャ加工のフィンガーグリップ１２４、１２６、１２８、彫刻またはエッチングされたフィンガーグリップ１２４、およびゴム引またはテクスチャ加工された粘着性のあるフィンガーグリップ１２４、１２８を含む、他の非限定的かつ非排他的なフィンガーグリップ構造を示している。フィンガーグリップを作製するための技術および方法については、当業界で周知である。あるいは、取り扱い、組み立て、充填、埋め込み可能デバイスポートのシーリング、移送、貯蔵および輸送、ならびに埋め込み可能デバイスの留置が自動化されるのであれば、フィンガーグリップは、そうした自動化のために最適化されてよく、またはその場合、組み込まれなくてもよく、もしくは他の場所に組み込まれてもよい。
【手続補正２】
【補正対象書類名】特許請求の範囲
【補正対象項目名】全文
【補正方法】変更
【補正の内容】
【特許請求の範囲】
【請求項１】
ａ）第２のシートに剥離可能に接着された第１のシート；
ｂ）埋め込み可能デバイスを生細胞で充填することに用いるための入口システムのための開口部；
ｃ）埋め込み可能デバイスから溶液を除去することに用いるための出口システムのための開口部；および
ｄ）埋め込み可能デバイスを見えるようにする１つ以上の透明窓
を含む、デバイス充填パウチアセンブリ（ＤＦＰＡ）。
【請求項２】
さらに埋め込み可能デバイスを含む、請求項１に記載のＤＦＰＡ。
【請求項３】
前記埋め込み可能デバイスは半透過性封入デバイスである、請求項１または２に記載のＤＦＰＡ。
【請求項４】
前記埋め込み可能デバイスはデバイスケースの内部に配置される、請求項１〜３のいずれか一項に記載のＤＦＰＡ。
【請求項５】
ＤＦＰＡが滅菌可能な材料または紙で作られている、請求項１〜４のいずれか一項に記載のＤＦＰＡ。
【請求項６】
前記透明窓が、二軸延伸ポリエチレンテレフタレート、延伸ポリエチレンテレフタレート（ＰＥＴ）を含むポリエステルフィルム、透明なポリマーフィルム、またはポリエチレンを含む、請求項１〜５のいずれか一項に記載のＤＦＰＡ。
【請求項７】
前記第１のシートまたは第２のシートが、ポリエステル、ポリ塩化ビニル、ポリエチレン、ポリプロピレン、ポリオレフィン、エチレンコポリマー、エチレン−ビニル−アセテート（ＥＶＡ）、エチレン−メチル−アクリレート（ＥＭＡ）、エチレン−アクリル酸（ＥＡＡ）、イオノマー樹脂、ガス透過性ポリエチレン布、ポリプロピレン不織布、耐水性布、耐化学物質性布、または耐摩擦性布を含む、請求項１〜６のいずれか一項に記載のＤＦＰＡ。
【請求項８】
ａ）前記第１のシートまたは第２のシートが滅菌可能な紙を含むか、または
ｂ）前記第１のシートおよび第２のシートが０．５ミル〜４．０ミル、もしくは１．５ミル〜３．０ミル、もしくは２ミルの厚さを有する、
請求項１〜７のいずれか一項に記載のＤＦＰＡ。
【請求項９】
ａ）前記第１のシートと第２のシートとの間に接着された熱可塑性の透明な樹脂フィルム、または
ｂ）前記第１のシートと第２のシートとの間に接着された熱可塑性のポリマーフィルム
をさらに含む、請求項１〜８のいずれか一項に記載のＤＦＰＡ。
【請求項１０】
前記生細胞は、膵臓始原細胞、pancreatic and duodenal homeobox 1（ＰＤＸ−１）陽性膵臓内胚葉細胞、膵臓内分泌前駆細胞、または未熟β細胞である、請求項１〜９のいずれか一項に記載のＤＦＰＡ。
【請求項１１】
前記入口システムは、前記ＤＦＰＡ内に内方に延在し、デバイスポートによって埋め込み可能デバイスに取り外し可能に連結される、請求項１〜１０のいずれか一項に記載のＤＦＰＡ。
【請求項１２】
前記出口システムは、前記ＤＦＰＡの外側に延在する、請求項１〜１１のいずれか一項に記載のＤＦＰＡ。
【請求項１３】
前記ＤＦＰＡは、前記埋め込み可能デバイスを滅菌することに使用されるか、または、前記埋め込み可能デバイスを滅菌および充填することに使用される、請求項２に記載のＤＦＰＡ。
【請求項１４】
前記ＤＦＰＡは、前記埋め込み可能デバイスを滅菌することに使用されるか、または、前記埋め込み可能デバイスを滅菌および充填することに使用される、請求項４に記載のＤＦＰＡ。
【外国語明細書】
2019115675000001.pdf